(57)【特許請求の範囲】
【請求項１】
複数枚の用紙に打ち抜き孔及びカット孔を形成するとともに、その打ち抜き孔から切り起こされた切起片の先端部分を前記カット孔に挿通させ、その切起片とカット孔との係わり合いによって複数枚の用紙を相互に綴じることができるようにした綴じ機に用いられる前記打ち抜き孔を形成し得る刃であって、
前記打ち抜き孔を形成する刃本体と、前記切起片を前記カット孔に挿通させる際の前記切起片の基端への応力集中を緩和する破れ抑制用の逃げ部を用紙に形成するための前記刃本体の基端から側方に連続して延びる補助刃部とを備えてなることを特徴とする刃。
【請求項２】
抜き刃及び切込刃を複数枚の用紙に貫通させてそれら用紙に打ち抜き孔及びカット孔を形成するとともに、その打ち抜き孔から切り起こされた切起片を前記切込刃に形成された窓に挿入し、その切込刃を用紙から抜き取る際に前記窓に挿入されている切起片の先端部分を前記カット孔に挿通させ、その切起片とカット孔との係わり合いによってそれら複数枚の用紙を相互に綴じることができるようにした綴じ機であって、
前記抜き刃が、前記切起片を前記カット孔に挿通させる際の前記切起片の基端への応力集中を緩和する破れ抑制用の逃げ部を用紙に形成するための補助刃部を備えてなるものであることを特徴とする綴じ機。
【請求項３】
前記逃げ部が、前記打ち抜き孔の基端から側方に延びるスリット状のものであり、この逃げ部を形成するための前記補助刃部が、前記抜き刃の刃本体の基端から側方に連続して延びるブレード状のものである請求項２記載の綴じ機。
【請求項４】
前記刃本体と前記補助刃部とが共通の板金素材を用いて一体に形成されたものである請求項３記載の綴じ機。
【請求項５】
前記切起片が、前記先端部分を含む先端領域と、この先端領域に連続し前記先端領域の最も幅の広い幅広部よりも幅狭な基端領域とを有してなるものであり、
前記刃本体が、前記先端領域を形成するための先端領域形成部と、この先端領域形成部に連続して形成された前記基端領域を形成するための基端領域形成部とを備えたものである請求項３又は４記載の綴じ機。
【請求項６】
前記補助刃部が、前記切起片の長手方向に対して直交する方向に延びるものである請求項２、３、４又は５記載の綴じ機。
【発明の詳細な説明】
【技術分野】
【０００１】
本発明は、重ね合わせた複数枚の用紙の端部を一体的に綴じ合わせる綴じ機のうち、特に金属製の針を使用しない方式の、いわゆる針なしステープラと称される綴じ機、及びこの綴じ機に使用される刃に関する。
【背景技術】
【０００２】
従来、この種の綴じ機として、抜き刃及び切込刃を複数枚の用紙に貫通させてそれら用紙に打ち抜き孔及びカット孔を形成するとともに、その打ち抜き孔から切り起こされた切起片を前記切込刃に形成された窓に挿入し、その切込刃を用紙から抜き取る際に前記窓に挿入されている切起片の先端部分を前記カット孔に挿通させ、その切起片とカット孔との係わり合いによってそれら複数枚の用紙を相互に綴じることができるようにしたものが知られている（例えば、特許文献１を参照）。
【０００３】
かかる綴じ機では、用紙に貫通させた切込刃の窓に切起片を挿通させた上で、この切込刃を用紙から抜き取るという動作を行うことにより、切込刃によって切起片がカット孔に案内され、切起片とカット孔とが係り合い、複数枚の用紙を相互に綴じることができるようにしている。
【０００４】
ところが、従来のものでは、複数枚の用紙を綴じる際に紙質や紙厚等によって切込刃から与えられる面方向の力が切起片の基端に過度に集中し、用紙における切起片の基端が破断してしまう場合があった。
【先行技術文献】
【特許文献】
【０００５】
【特許文献１】特開２０１０−２２８４５１号公報
【発明の概要】
【発明が解決しようとする課題】
【０００６】
本発明は、以上のような事情に着目してなされたもので、用紙を綴じる際に切起片の破断の可能性を解消又は抑制することができる綴じ機、及びこの綴じ機に使用される刃を提供することにある。
【課題を解決するための手段】
【０００７】
すなわち、本発明の綴じ機は、次の構成を備えたものである。
【０００８】
請求項１に係る発明は、複数枚の用紙に打ち抜き孔及びカット孔を形成するとともに、その打ち抜き孔から切り起こされた切起片の先端部分を前記カット孔に挿通させ、その切起片とカット孔との係わり合いによって複数枚の用紙を相互に綴じることができるようにした綴じ機に用いられる前記打ち抜き孔を形成し得る刃であって、前記打ち抜き孔を形成する刃本体と、前記切起片を前記カット孔に挿通させる際の前記切起片の基端への応力集中を緩和する破れ抑制用の逃げ部を用紙に形成するための前記刃本体の基端から側方に連続して延びる補助刃部とを備えてなるものである。
【０００９】
ここで、「用紙」とは、シート状になっているものであれば、どのようなものであってもよく、紙製のものの他、プラスチック製や金属製のものも含まれる。
【００１０】
請求項２に係る発明は、抜き刃及び切込刃を複数枚の用紙に貫通させてそれら用紙に打ち抜き孔及びカット孔を形成するとともに、その打ち抜き孔から切り起こされた切起片を前記切込刃に形成された窓に挿入し、その切込刃を用紙から抜き取る際に前記窓に挿入されている切起片の先端部分を前記カット孔に挿通させ、その切起片とカット孔との係わり合いによってそれら複数枚の用紙を相互に綴じることができるようにした綴じ機であって、前記抜き刃が、前記切起片を前記カット孔に挿通させる際の前記切起片の基端への応力集中を緩和する破れ抑制用の逃げ部を用紙に形成するための補助刃部を備えてなるものである。
【００１１】
請求項３に係る発明は、請求項２に係る構成において、前記逃げ部が、前記打ち抜き孔の基端から側方に延びるスリット状のものであり、この逃げ部を形成するための前記補助刃部が、前記抜き刃の刃本体の基端から側方に連続して延びるブレード状のものである。
【００１２】
請求項４に係る発明は、請求項３に係る構成において、前記刃本体と前記刃補助部とが共通の板金素材を用いて一体に形成されたものである。
【００１３】
請求項５に係る発明は、請求項３又は４に係る構成において、前記切起片が、前記先端部分を含む先端領域と、この先端領域に連続し前記先端領域の最も幅の広い幅広部よりも幅狭な基端領域とを有してなるものであり、前記刃本体が、前記先端領域を形成するための先端領域形成部と、この先端領域形成部に連続して形成された前記基端領域を形成するための基端領域形成部とを備えたものである。
【００１４】
請求項６に係る発明は、請求項２、３、４又は５に記載の構成において、前記刃補助部が、前記切起片の長手方向に対して直交する方向に延びるものである。
【発明の効果】
【００１６】
以上説明したように本発明によれば、用紙を綴じる際に切起片の基端が破断しやすいという不具合を解消又は抑制することができるものとなる。
【図面の簡単な説明】
【００１７】
【図１】本発明の第１実施形態にかかる綴じ機の全体斜視図。
【図２】同実施形態の綴じ機の側面図。
【図３】同実施形態の綴じ機の平面図。
【図４】図２におけるＸ−Ｘ線断面図。
【図５】同実施形態の綴じ機を用いた用紙の角部の拡大平面図。
【図６】図４におけるＹ−Ｙ線断面図。
【図７】同実施形態の要部を示す分解斜視図。
【図８】同実施形態の刃駆動機構を示す側面図。
【図９】同実施形態の要部を示す平面図。
【図１０】同実施形態の打ち抜き孔及びカット孔を模式的に示す平面図。
【図１１】同実施形態の切込刃を示す斜視図。
【図１２】同実施形態の切込刃を示す正面図。
【図１３】操作レバーを操作しない状態の図３におけるＺ−Ｚ線断面図。
【図１４】操作レバーを操作した状態の図３におけるＺ−Ｚ線断面図。
【図１５】同実施形態の綴じ機の作動を示す概略図。
【図１６】同実施形態の綴じ機の作動を示す概略図。
【図１７】同実施形態の綴じ機の作動を示す概略図。
【図１８】同実施形態の綴じ機の作動を示す概略図。
【図１９】同実施形態の綴じ機の作動を示す概略図。
【図２０】同実施形態の綴じ機の作動を示す概略図。
【図２１】同実施形態の綴じ機の作動を示す概略図。
【図２２】同実施形態の綴じ機の作動を説明するための拡大斜視図。
【図２３】同実施形態の綴じ機の作動を説明するための拡大斜視図。
【図２４】本発明の第２実施形態にかかる綴じ機の全体平面図。
【図２５】同実施形態の綴じ機の要部を模式的に示す側断面図。
【図２６】第１実施形態である打ち抜き孔を模式的に示す平面図。
【図２７】他の実施形態である打ち抜き孔を模式的に示す平面図。
【図２８】他の実施形態である打ち抜き孔を模式的に示す平面図。
【図２９】他の実施形態である打ち抜き孔を模式的に示す平面図。
【図３０】他の実施形態である打ち抜き孔を模式的に示す平面図。
【図３１】他の実施形態である打ち抜き孔を模式的に示す平面図。
【図３２】他の実施形態である打ち抜き孔を模式的に示す平面図。
【発明を実施するための形態】
【００１８】
以下、本発明の第１実施形態について図面を参照しながら説明する。
【００１９】
この綴じ機１は、図１ないし図２３に示すように、複数枚の用紙Ｐに打ち抜き孔Ｐ１及びカット孔Ｐ２を形成するとともに、その打ち抜き孔Ｐ１から切り起こされた切起片Ｐ５を前記カット孔Ｐ２に挿通させることにより、それら複数枚の用紙Ｐを相互に綴じて冊子Ｂ、すなわち用紙束を作ることができるようにしたものである。また、この綴じ機１に用いられる刃である抜き刃３２は、前記打ち抜き孔Ｐ１を形成し得るものである。以下、詳述する。
【００２０】
＜冊子＞
この冊子Ｂは、図４ないし図６及び図２１に示すように、複数枚の用紙Ｐを束ねてなるもので、それらの用紙Ｐは角部Ｐ４に設定した一ヵ所の接合部分Ｐ３において相互に接合されている。この接合部分Ｐ３は、用紙Ｐの一面Ｐａ側から貫入させた抜き刃３２により各用紙Ｐに形成された打ち抜き孔Ｐ１と、この打ち抜き孔Ｐ１に隣接させて前記各用紙Ｐに形成された引き上げ用カット孔Ｐ２と、前記打ち抜き孔Ｐ１から用紙Ｐの他面Ｐｂ側に切り起こされた切起片Ｐ５とから構成されている。そして、前記切起片Ｐ５の先端Ｐ５１側を、前記カット孔Ｐ２に貫通させて前記用紙Ｐの一面Ｐａ側に導出させることによって、前記複数枚の用紙Ｐの角部Ｐ４が相互に接合されている。冊子Ｂである用紙束は、詳しくは後述するように、用紙Ｐに切り起こされた切起片Ｐ５を用紙Ｐに形成されたカット孔Ｐ２に挿通させ、切起片Ｐ５とカット孔Ｐ２との係わり合いによって複数枚の用紙Ｐが相互に綴じられてなるものであって、用紙Ｐにおける切起片Ｐ５の基端Ｐ５２に破れ抑制用の逃げ部Ｐ６を備えている。
【００２１】
なお、接合部分は、種々の態様が考えられ、上述したものには限られない。
【００２２】
＜切起片＞
切起片Ｐ５は、図４ないし図６、図２２及び図２３に示すように、先端側が膨らんだ形状、具体的には全体として矢印形状をなすもので、境界部Ｐ５３を挟んで基端Ｐ５２側に基端領域Ｐ５４を備えるとともに、先端Ｐ５１側に先端領域Ｐ５５を備えている。前記基端領域Ｐ５４は、ほぼ矩形状をなしており、切起片Ｐ５の基端Ｐ５２から境界部Ｐ５３にいたるまで同じ幅寸法Ｗ６に設定されている。すなわち、前記基端領域Ｐ５４の左右対をなす側縁Ｐ５０同士は、平行である。前記先端領域Ｐ５５は、前記基端領域Ｐ５４の境界部Ｐ５３側から一体的に形成されたもので、先端Ｐ５１を尖らせた多角形状としている。この先端領域Ｐ５５は、切起片Ｐ５の境界部Ｐ５３から先端Ｐ５１にいたるまでの間に、境界部Ｐ５３及び先端Ｐ５１よりも大きな幅寸法Ｗ３を有する幅広部Ｐ５６を備えている。換言すれば、先端領域Ｐ５５は、この切起片Ｐ５の幅方向中央部分に設けた先端縁に先端角部Ｐ５８を備えるとともに、前記幅広部Ｐ５６の左右両側縁に対をなす側縁角部Ｐ５９を備えたものである。なお、ここで言う「角部」とは、角張ったものに限られず、若干丸みを帯びたものも含む。
【００２３】
なお、切起片は、種々の態様が考えられ、上述したものには限られない。
【００２４】
＜打ち抜き孔＞
前記打ち抜き孔Ｐ１は、図４ないし図６、図１０、図２２及び図２３に示すように、前記切起片Ｐ５に対応する大きさ及び形状をなしており、抜き刃３２による穿孔直後は、抜き刃３２の形状に対応したスリット状のものであり、切起片Ｐ５を切り起こした後は、切起片Ｐ５の形状に対応した矢印形状の空間である。詳述すれば、この打ち抜き孔Ｐ１は、前記切起片Ｐ５の先端領域Ｐ５５に対応する先端領域スリットＰ１１と、この先端領域スリットＰ１１に連続して形成され前記切起片Ｐ５の基端領域Ｐ５４に対応する対をなす基端領域スリットＰ１２とを備えている。本実施形態では、打ち抜き孔Ｐ１の基端Ｐ５２に連続させて、前記切起片Ｐ５をカット孔Ｐ２に挿通させる際の前記切起片Ｐ５の基端Ｐ５２への応力集中を緩和する破れ抑制用の逃げ部Ｐ６が設けてある。
【００２５】
なお、打ち抜き孔は、種々の態様が考えられ、上述したものには限られない。
【００２６】
＜逃げ部＞
前記逃げ部Ｐ６は、図４、図５、図１０、図２２及び図２３に示すように、前記打ち抜き孔Ｐ１の基端Ｐ１３から側方に延びるもの、具体的には、左右両側の外側方に伸びるスリット状のものである。換言すれば、逃げ部Ｐ６は、前記打ち抜き孔Ｐ１の基端領域スリットＰ１２に連続して形成され、切起片Ｐ５の長手方向に対して直交する方向に直線状に延びるものである。本実施形態においては、前記スリット状の逃げ部Ｐ６と前記打ち抜き孔Ｐ１の基端領域スリットＰ１２とがなす角度αが略９０度となっている。左右の逃げ部Ｐ６を構成するスリットの先端間距離Ｗ４は、前記打ち抜き孔Ｐ１の幅寸法よりも大きく、本実施形態においては、打ち抜き孔Ｐ１のうち最も幅の大きい部分である幅広部Ｐ５６の幅寸法Ｗ３よりも大きい。また、左右の逃げ部Ｐ６を構成する各スリットの延出寸法Ｗ５は、切起片Ｐ５の基端Ｐ５２の幅寸法Ｗ６と略同じにしている。用紙Ｐにおける打ち抜き孔Ｐ１の周辺には、図５、図２２及び図２３に示すように、打ち抜き孔Ｐ１の基端領域スリットＰ１２とスリット状の逃げ部Ｐ６とによって三角形状をなす片持ち片Ｐ９が形成されている。
【００２７】
なお、逃げ部は、種々の態様が考えられ、上述したものには限られない。
【００２８】
＜カット孔＞
一方、前記カット孔Ｐ２は、図４ないし図６、図１０、図２２及び図２３に示すように、切起片Ｐ５を主として係わり合わせるための第一のスリットＬ１と、この第一のスリットＬ１の途中から打ち抜き孔Ｐ１方向に屈曲して伸びる左右方向に対をなす第二のスリットＬ２とからなる。第一のスリットＬ１は、直線状をなすメインスリットＬ１１と、このメインスリットＬ１１の両端から所定の方向、すなわち第二のスリットＬ２と反対の方向に屈曲して伸びるサブスリットＬ１２とを備えている。これらメインスリットＬ１１とサブスリットＬ１２との境界部分から前記第二のスリットＬ２が伸びている。本実施形態では、メインスリットＬ１１とサブスリットＬ１２との間の角度β１を略１３５度に設定している。また、このカット孔Ｐ２は、前記第一のスリットＬ１と前記第二のスリットＬ２とが一定の角度をなしており、具体的には、第一のスリットのメインスリットと第二のスリットとの間の角度β２を略９０度に設定しているとともに、第一のスリットのサブスリットと第二のスリットとの間の角度β３を略１３５度に設定している。なお、この実施形態においては、第一のスリットＬ１におけるサブスリットＬ１２の長さを前記第二のスリットＬ２の長さよりも長くしており、対をなす第二のスリットＬ２の長さはほぼ同じに設定してある。また、これら対をなす第二のスリットＬ２の離間距離Ｗ２は、前記切起片Ｐ５の基端領域Ｐ５４の幅寸法Ｗ６と略同じかまたはそれよりも少し長く設定してある。
【００２９】
これら、用紙Ｐのカット孔Ｐ２周辺には、図５及び図６に示すように、第一のスリットＬ１と第二のスリットＬ２とによって片持ち片Ｐ７、Ｐ８が形成されている。第一のスリットＬ１のメインスリットＬ１１と第二のスリットＬ２によって形成される片持ち片Ｐ７は、矩形状をなしており、打ち抜き孔Ｐ１側を基端として自由端側を上下方向に変位可能にしている。また、第一のスリットＬ１のサブスリットＬ１２と第二のスリットＬ２によって形成される片持ち片Ｐ８は、三角形状をなしており、第一のスリットＬ１の外端と第二のスリットＬ２の先端とを結ぶ部分を基端として自由端側を上下方向に変位可能にしている。
【００３０】
前記切起片Ｐ５を前記カット孔Ｐ２に貫通させて前記用紙Ｐを綴じた状態では、図４ないし図６に示すように、前記切起片Ｐ５の先端Ｐ５１側が前記第一のスリットＬ１に係わり合っているとともに、前記切起片Ｐ５の幅広部Ｐ５６から基端Ｐ５２に至る縁が前記第二のスリットＬ２に係わり合っている。より具体的には、第一のスリットＬ１に対しては、切起片Ｐ５の先端Ｐ５１が一面Ｐａ側に位置するとともに、切起片Ｐ５の基端Ｐ５２及び境界部Ｐ５３が他面Ｐｂ側に位置するように係わり合っている。また、第二のスリットＬ２に対しては、切起片Ｐ５の幅広部Ｐ５６の外端Ｐ５７が一面Ｐａ側に位置するとともに、切起片Ｐ５の基端Ｐ５２及び境界部Ｐ５３が他面Ｐｂ側に位置するように係わり合っている。換言すれば、前記切起片Ｐ５の幅広部Ｐ５６から基端Ｐ５２に至る縁のうち、幅広部Ｐ５６の外端Ｐ５７側を片持ち片Ｐ８の下面側に位置するとともに、境界部Ｐ５３を片持ち片Ｐ７の上面側に位置するようにしている。
【００３１】
また、前記切起片Ｐ５の幅広部Ｐ５６が、前記第二のスリットＬ２の先端Ｌ２１よりも打ち抜き孔Ｐ１から離れる側に位置しているとともに、幅広部Ｐ５６の幅寸法Ｗ３が、後述する窓Ｄ３の対応する部分の幅寸法Ｗ１よりも小さくなっている。さらに、前記幅広部Ｐ５６の外端Ｐ５７が、前記第二のスリットＬ２よりも外側に位置している。
【００３２】
なお、カット孔は、種々の態様が考えられ、上述したものには限られない。
【００３３】
＜綴じ機＞
このように用紙Ｐを綴じる際に使用される綴じ機１について、図１ないし図４、図７ないし図９、及び図１１ないし図２３を参照して説明する。
【００３４】
なお、綴じ機は、種々の態様が考えられ、以下に説明するものには限られないはもちろんのことである。
【００３５】
この綴じ機１は、図１ないし図４、図７ないし図９、及び図１１ないし図２３に示すように、複数枚の用紙Ｐに切起片Ｐ５を形成しつつ打ち抜き孔Ｐ１を穿設する抜き刃３２と、この抜き刃３２に隣接して設けられ前記切起片Ｐ５の先端Ｐ５１側を係止させるためのカット孔Ｐ２を穿設する切込刃３３と、これら抜き刃３２及び切込刃３３を保持するベース部２と、このベース部２に用紙挿入用隙間３５を介して配設されたパンチ台４とを具備してなる。そして、前記ベース部２に保持された前記抜き刃３２と切込刃３３とを前記用紙挿入用隙間３５に挿入された用紙Ｐを貫通してパンチ台４側に突出するように打ち込み動作させることによって、前記用紙Ｐに打ち抜き孔Ｐ１及びカット孔Ｐ２を形成する。次いで、前記打ち抜き孔Ｐ１からパンチ台４側に切り起こされた切起片Ｐ５の先端Ｐ５１側を前記切込刃３３に係わり合わせた状態でその切込刃３３と前記抜き刃３２とをベース部２側に復帰するように抜き取り動作させることによって、前記切起片Ｐ５を前記カット孔Ｐ２に貫通させて前記用紙Ｐを綴じるようにしたものである。換言すれば、この綴じ機１は、複数枚の用紙Ｐを接合して前記冊子Ｂを作るためのもので、待機位置（Ｎ）から一時的に突出側たる上方に移動することによって前記打ち抜き孔Ｐ１及びカット孔Ｐ２を形成するための抜き刃３２及び切込刃３３と、前記抜き刃３２及び切込刃３３を前記待機位置（Ｎ）で収容するベース部２と、前記抜き刃３２及び切込刃３３を保持し前記ベース部２に対して突没方向たる上下方向に昇降可能なスライド部材３１と、このベース部２の外面側たる上向面Ｆ１４側に用紙Ｐを挿入するための隙間３５を介して配されたパンチ台４とを備えてなる。そして、前記ベース部２には、操作レバー５が回動可能に取り付けてあるとともに、このベース部２の内部には、前記操作レバー５に接続されたリンク機構６が収容してある。
【００３６】
＜ベース部＞
ベース部２は、図１、図２、図４、図１３及び図１４に示すように、内部に前記スライド部材３１及び前記リンク機構６を配する空間を備えたベースフレーム２１と、このベースフレーム２１の下側に外嵌されるベースカバー２２とからなる。
【００３７】
ベースフレーム２１は、図１、図４、及び図１３ないし図２１に示すように、ベース部２の上向面Ｆ１４を形成する前部ハウジングＦと、操作レバー５の上方に位置し操作レバー５を操作する際に手をかけるハンドル部を形成する後部ハウジングＲとからなり、合成樹脂により一体に成形されている。
【００３８】
前部ハウジングＦは、図４、及び図１３ないし図２１に示すように、天壁Ｆ１と、この天壁Ｆ１の前縁から垂下する前壁Ｆ２と、前記天壁Ｆ１の左右両側縁から垂下する左右の側壁Ｆ３とからなり、内部に刃ユニット３を収容するための空間を備えている。前記天壁Ｆ１は、前記抜き刃３２及び切込刃３３が通過するための開口Ｆ１１を有している。この天壁Ｆ１の下面側には、前記開口Ｆ１１縁の近傍に設けられ後述するインナーカム３４の軸３４１を受けるための図示しない軸受部と、この軸受部に隣接して設けられインナーカム３４のアーム３４４を係止するための係止壁Ｆ１３とを設けている。この天壁Ｆ１の上面である上向面Ｆ１４と、前記パンチ台４の下向面４１４との間に用紙Ｐを挿入するための隙間３５を形成している。この実施形態においては、前記天壁Ｆ１の上向面Ｆ１４の前記開口Ｆ１１よりも用紙挿入側に位置する部位に、前記接合部分Ｐ１３を下側から挟圧するための隆起部Ｆ１５を設けている。この隆起部Ｆ１５は、ベースフレーム２１に一体に形成されたもので、前記隙間３５に挿入された用紙Ｐを抜き取る際に前記切起片Ｐ５を案内するための傾斜面Ｆ１６を備えている。前記側壁Ｆ３には、前側に前記スライド部材３１を鉛直方向に案内するためのレール溝Ｆ３１が設けられているとともに、中央にドライブシャフト３６を上下方向に案内するための長孔Ｆ３２が設けられている。この側壁Ｆ３には、下側の支軸５３を介して操作レバー５が上下方向に回動可能に取り付けられている。また、この前部ハウジングＦの天壁Ｆ１の上面と後述するアンビル４１との間に用紙Ｐを挿入するための用紙挿入用隙間３５を形成している。
【００３９】
後部ハウジングＲは、図４、図１３及び図１４に示すように、手を掛けるのに適した形状をなすもので、前記前部ハウジングＦの天壁Ｆ１の後端から立ち上がる前壁Ｒ１と、この前壁Ｒ１の上端から後方に延伸する天壁Ｒ２と、この天壁Ｒ２の左右両側端から垂下する左右の側壁Ｒ３と、前記天壁Ｒ２の後端から垂下する後壁Ｒ４とからなり、内部にリンク機構６を収容するための空間を備えている。前記側壁Ｒ３には、上側の支軸２７を介して第１のリンクメンバ６１が回動可能に取り付けられている。
【００４０】
ベースカバー２２は、図１、図２、図１３及び図１４に示すように、前記ベースフレーム２１の下側に外嵌されるもので、これらベースカバー２２とベースフレーム２１とは前端部及び後端部にそれぞれ設けられた係合爪２３ａ、２３ｂによって係り合っている。このベースカバー２２は、前側にスライドカバー取付部２５を備えるとともに、中央部にキャップ取付部２６と、このキャップ取付部２６に隣接して操作レバー５との干渉を避けるための窓２４が設けられている。なお、前記スライドカバー取付部２５には、前記前部ハウジングＦ内に溜まった紙粉を外部に取り除くために開閉可能なスライドカバー２８を取り付けている。また、前記キャップ取付部２６には、前記ベースカバー２２をベースフレーム２１に取り付けるためのキャップ２９を取り付けている。すなわち、このキャップ２９に貫通させたビス２０をトップケース４２に設けられた図示しないねじ部に螺着することによって、トップケース４２とベースカバー２２とをベースフレーム２１に着脱可能に取り付けている。
【００４１】
なお、ベース部は、種々の態様が考えられ、上述したものには限られない。
【００４２】
このようにしてなるベースフレーム２１内に、抜き刃３２及び切込刃３３を有した刃ユニット３を収納している。
【００４３】
＜刃ユニット＞
刃ユニット３は、図７、図８、図１０、及び図１３ないし図２１に示すように、前記ベースフレーム２１のレール溝Ｆ３１に案内されて鉛直姿勢を維持しつつ昇降可能なスライド部材３１と、このスライド部材３１に取り付けられた抜き刃３２と、この抜き刃３２に隣接させて配された切込刃３３と、前記抜き刃３２の内側に配され前記抜き刃３２内に収まる初期姿勢（Ｓ）から抜き刃３２外に突出する回動姿勢（Ｋ）との間で前記スライド部材３１に軸３４１を介して回転可能に枢止されたインナーカム３４と、前記初期姿勢（Ｓ）に自己復帰する方向に前記インナーカム３４を回動付勢するコイルスプリングＳ２とを具備してなる。
【００４４】
なお、刃ユニットは、種々の態様が考えられ、上述したものには限られない。
【００４５】
スライド部材３１は、図７、図８、及び図１３ないし図２１に示すように、前記ベースフレーム２１のレール溝Ｆ３１に上下方向にスライド可能に係合する突条３１１を備えたブロック状のもので、ドライブシャフト３６を介して前記リンク機構６に接続されている。すなわち、このドライブシャフト３６は、前記リンク機構６の第１のリンクメンバ６１の先端に設けられた長孔６１４に係わり合わせてある。前記スライド部材３１は、上方に開放された箱状のもので、前記抜き刃３２及び切込刃３３の下半部が収容され得るようになっている。
【００４６】
なお、スライド部材は、種々の態様が考えられ、上述したものには限られない。
【００４７】
＜刃ユニットの切込刃＞
切込刃３３は、図４、図５及び図１０に示すような下駄状をなすカット孔Ｐ２を形成するための刃先３９１を有する刃本体３９を備えている。具体的には、この刃本体３９を有している切込刃３３は、図４、図７ないし図９、図１１ないし図２３に示すように、１枚の板金素材に打ち抜き加工及び折り曲げ加工を施すことにより作られたもので、前記第一のスリットＬ１を形成するための第一のブレードＤ１と、前記第一のスリットＬ１の途中から打ち抜き孔Ｐ１方向に伸びる第二のスリットＬ２を形成するための第二のブレードＤ２とを備えたものである。これら第一のブレードＤ１及び第二のブレードＤ２には、素材の厚み方向片側に刃先３９１を有した片刃構造をなす前記刃本体３９を備えている。
【００４８】
なお、刃本体は、片刃構造のものに限られず、また、第二のブレードＤ２は刃本体３９及び刃先３９１を備えていないものであってもよい。
【００４９】
また、本実施形態においては、第一のブレードＤ１は、用紙Ｐから打ち抜かれた切起片Ｐ５を通過させ前記切起片Ｐ５を係わり合わせるための窓Ｄ３を備えている。この第一のブレードＤ１は、直線状をなすメインスリットＬ１１を形成するためのメインブレードＤ１１と、このメインスリットＬ１１の両端から他方向、すなわちこの切込刃３３に対応する抜き刃３２が配置されている側と反対の方向に屈曲して伸びるサブスリットＬ１２を形成するためのサブブレードＤ１２とを備えている。
【００５０】
前記第一のブレードＤ１のメインブレードＤ１１は、インナーカム３４を受け入れるための窓Ｄ３を介して下ブレード部Ｄ４と上ブレード部Ｄ５とに分断されており、その下ブレード部Ｄ４と上ブレード部Ｄ５とはサブブレードＤ１２により構造的に連結されている。この実施形態においては、サブブレードＤ１２は、その基端縁が前記メインブレードＤ１１に一体に連続するもので、このサブブレードＤ１２の基端縁における前記窓Ｄ３に対応する部分に、前記第二のブレードＤ２が連続して形成されている。すなわち、この第二のブレードＤ２は、板金素材を前記折曲線部Ｄ６で折り曲げることにより、前記窓Ｄ３から一体に切り起こされたものである。
【００５１】
なお、切込刃は、種々の態様が考えられ、上述したものには限られない。
【００５２】
＜切込刃の窓＞
前記窓Ｄ３は、図７、図８、図１１、図１２及び図１５ないし図２１に示すように、第二のスリットＬ２を形成するための第二のブレードＤ２を左右両側縁に備えた縮幅部Ｄ３１と、この縮幅部Ｄ３１に隣接して設けられた拡幅部Ｄ３２とからなる。本実施形態では、拡幅部Ｄ３２は、前記縮幅部Ｄ３１を挟んで上下両側、すなわち前記切込刃３３の先端側及び基端側に設けられたものであり、その側縁には第二のブレードＤ２を備えていない構造となっている。この窓Ｄ３の縮幅部Ｄ３１はメインブレードＤ１１の幅内に形成されているものであり、窓Ｄ３の拡幅部Ｄ３２の両側部分はサブブレードＤ１２に亘って形成されているものである。
【００５３】
前記窓Ｄ３の先端側の縁Ｄ３４、すなわち第一のブレードＤ１の窓Ｄ３に臨む縁である上ブレード部Ｄ５の下縁は、図７、図８、図１１、図１２、図１５ないし図２１に示すように、切起片Ｐ５の少なくとも両側部を部分的に押圧してカット孔Ｐ２に挿通させるための接触部Ｄ３５と、切起片Ｐ５に接触しない非接触部Ｄ３６、Ｄ３７とを備えている。詳述すれば、本実施形態における窓Ｄ３の先端側の縁Ｄ３４は、この縁Ｄ３４の中央部分を先端側に凹陥させた中央非接触部Ｄ３６と、この中央非接触部Ｄ３６の両端に連続して設けられた左右対をなす接触部Ｄ３４と、この接触部Ｄ３４の両端側に連続して設けられた左右対をなす両端非接触部Ｄ３７とを備えている。すなわち、この切込刃３３は、先端における幅方向中央部が最も突出する刃先３９１を有し、半円形状をなす前記中央非接触部Ｄ３６がこの刃先３９１に対応させて幅方向中央に形成されている。
【００５４】
なお、この窓Ｄ３の寸法は、切起片Ｐ５の寸法に対して以下のような関係を有している。すなわち、本実施形態における窓Ｄ３の縮幅部Ｄ３１の幅寸法Ｗ１１は、対をなす第二のスリットＬ２の離間距離Ｗ２とほぼ対応しており、前記切起片Ｐ５の幅広部Ｐ５６の幅寸法Ｗ３よりも小さく設定されている。一方、窓Ｄ３の拡幅部Ｄ３２の幅寸法Ｗ１は、前記切起片Ｐ５の幅広部Ｐ５６の幅寸法Ｗ３よりも大きく設定されている。換言すれば、切起片Ｐ５の先端部分の最大幅寸法たる幅広部Ｐ５６の幅寸法Ｗ３は、前記窓Ｄ３の拡幅部Ｄ３２の幅寸法Ｗ１よりも小さく設定されている。また、本実施形態においては、切起片Ｐ５の幅広部Ｐ５６の幅寸法Ｗ３が、前記凹陥させた中央非接触部Ｄ３６の幅寸法Ｗ７よりも大きく設定されている。換言すれば、切起片Ｐ５の幅広部Ｐ５６の幅寸法Ｗ３は、切起片Ｐ５の両側部を点状に押圧してカット孔Ｐ２に挿通させるための対をなす接触部Ｄ３５同士の離間距離Ｗ７よりも大きく設定されている。
【００５５】
また、第二のブレードＤ２は、図９に示すように、その切り起こし加工の前に前記サブブレードＤ１２に対して１８０度未満の角度Ｇ３をなすように予備切り起こし加工が施されている。これによって、前記サブブレードＤ１２が直角よりも若干小さな角度Ｇ４で折り曲げられており、前記第二のブレードＤ２の前記メインブレードＤ１１に対する切り起こし角度Ｇ２は最終的に略９０度になるように設定されている。
【００５６】
なお、切込刃の窓は、種々の態様が考えられ、上述したものには限られない。
【００５７】
＜刃ユニットの抜き刃＞
抜き刃３２は、図４、図７、図８、図９、図１３ないし図２１に示すように、用紙Ｐに対して先端領域Ｐ５５に幅広部Ｐ５６を備えた切起片Ｐ５を形成し得るものである。抜き刃３２は、スライド部材３１に設けられており、より具体的には、中間部に設けられた軸３４１を介して前記刃ユニット３のスライド部材３１に支持されている。この抜き刃３２は、１枚の板金素材に打ち抜き加工及び折り曲げ加工を施すことにより作られたもので、用紙Ｐに前記打ち抜き孔Ｐ１を打ち抜くための刃本体３７と、用紙Ｐにスリット状の逃げ部Ｐ６を形成するための補助刃部３８とを備えている。すなわち、抜き刃３２は、用紙Ｐに対して形成される打ち抜き孔Ｐ１に対応する形状をなす刃本体３７と、この刃本体３７から外側方に連続して延びてなり、用紙Ｐに対して形成される直線スリット状の逃げ部Ｐ６に対応する形状をなすブレード状の補助刃部３８とを備えている。より具体的には、ブレード状の補助刃部３８は、刃本体３７の平面視における基端から側方に延びてなるものである。また、用紙Ｐに貫通させる際に補助刃部３８の刃先３８１は、刃本体３７の刃先３７５よりも遅れて用紙Ｐに当たるように設定されている。図７において示すものでは、補助刃部３８の刃先３８１が刃本体３７の刃先３７５よりも下に位置している。そして、刃補助部３８の刃先３８１は、外方に向かうにつれて漸次下方に位置するように形成されている。
【００５８】
抜き刃３２の刃本体３７と補助刃部３８とは、共通の板金素材を用いて一体に形成されたものである。
【００５９】
なお、抜き刃は、種々の態様が考えられ、上述したものには限られない。
【００６０】
＜抜き刃の刃本体＞
前記刃本体３７は、図７ないし図９、図１３ないし図２１に示すように、用紙Ｐに設けられる切起片Ｐ５の先端領域Ｐ５５を形成するための先端領域形成部３７１と、この先端領域形成部３７１に連続して形成された前記切起片Ｐ５の基端領域Ｐ５４を形成するための基端領域形成部３７４とを備えたものである。先端領域形成部３７１は、前記打ち抜き孔Ｐ１の先端領域スリットＰ１１を形成するものであり、基端領域形成部３７４は、前記打ち抜き孔Ｐ１の基端領域スリットＰ１２を形成するものである。換言すれば、先端領域形成部３７１は、前記切起片Ｐ５の先端角部Ｐ５８に対応する箇所に屈曲部分３７２を備えるとともに、切起片Ｐ５の幅広部Ｐ５６の側縁角部Ｐ５９に対応する箇所に対をなす屈曲部分３７３を備えたものである。各基端領域形成部３７４は、それぞれ直線状をなしており、対をなす基端領域形成部３７４同士の離間距離Ｗ８は、一定に保たれている。すなわち、これら基端領域形成部３７４は、互いに平行にしてある。刃本体３７の突没方向における先端には、前記打ち抜き孔Ｐ１の形状を打ち抜き形成するための平面視矢印形状をなす刃先３７５を備えている。詳述すれば、この刃本体３７は、前記基端領域形成部３７４及び先端領域形成部３７１に、用紙Ｐへの貫入方向に沿って連続する刃先３７５を有している。
【００６１】
なお、刃本体は、種々の態様が考えられ、上述したものには限られない。
【００６２】
＜抜き刃の補助刃部＞
補助刃部３８は、図４、及び図７ないし図９に示すように、前記打ち抜き孔Ｐ１の基端Ｐ１３、本実施形態においては、基端領域スリットＰ１２の基端から左右両側の外側方に伸びるスリット状の逃げ部Ｐ６を用紙Ｐに形成するためのものである。換言すれば、補助刃部３８は、前記刃本体３７の基端領域形成部３７４に連続して設けられ、切起片Ｐ５の長手方向に対して直交する方向に直線状に延びるものである。本実施形態においては、ブレード状をなす前記補助刃部３８が、前記刃本体３７の基端領域形成部３７４に対して一定の角度γ、具体的には略９０度になるように形成されている。前記補助刃部３８の平面視における両側端縁同士の離間距離Ｗ９は、前記刃本体３７の対をなす先端領域形成部３７１同士の離間距離Ｗ８よりも大きく、本実施形態においては切起片Ｐ５の幅広部Ｐ５６に対応する最大離間距離Ｗ１０よりも大きく設定されている。補助刃部３８の突没方向における先端には、前記刃本体３７の刃先３７５に連続する刃先３８１が形成されている。
【００６３】
また、前記抜き刃３２により囲まれた空間３７６には、前記切起片Ｐ５を前記切込刃３３に設けられた窓Ｄ３に挿入させるためのインナーカム３４を設けている。
【００６４】
なお、補助刃部は、種々の態様が考えられ、上述したものには限られない。
【００６５】
＜刃ユニットのインナーカム＞
インナーカム３４は、図４、図７、図９、図１３ないし図２１に示すように、基端に軸３４１を有するとともに先端に前記切起片Ｐ５を前記切込刃３３に設けられた窓Ｄ３に挿入させるための押し出し部３４３を備えたもので、その軸３４１が前記抜き刃３２及びスライド部材３１に支持されている。前記インナーカム３４の基端には、該インナーカム３４を回動させるためのアーム３４４が突出させてある。このインナーカム３４は、前記スライド部材３１が上方へ移動する際に、前記アーム３４４の上面が前記ベースフレーム２１に設けられた係止壁Ｆ１３の下縁に当接するように設定してある。そして、当接後さらにスライド部材３１が上方へ移動することにより、基端の軸３４１まわりに該インナーカム３４が回動姿勢（Ｋ）にまで回動するように構成されている。すなわち、用紙Ｐに打ち抜き孔Ｐ１が形成された後に、前記インナーカム３４が切起片Ｐ５を押圧しつつ切込刃３３方向に回動するように構成されている。
【００６６】
なお、インナーカム３４は、抜き刃３２により囲まれた空間３７６、より具体的には、抜き刃３２における刃本体３７の対をなす基端領域形成部３７４間に収容されるようにしており、インナーカム３４が軸３４１の長手方向にぐらつくことを抑制している。
【００６７】
なお、インナーカムは、種々の態様が考えられ、上述したものには限られない。
【００６８】
以上のようにしてなる刃ユニット３は、操作レバー５を操作することで、前記ベースフレーム２１に収容されたリンク機構６を介して上方に移動されるようにしている。
【００６９】
＜操作レバー＞
操作レバー５は、図１、図２、図８、図１３及び図１４に示すように、金属製のレバープレート５１と、このレバープレート５１の外方に装着される樹脂製のレバーカバー５２とからなる。前記レバープレート５１は、板金素材を折曲加工したもので、底壁５１１と、この底壁５１１の両側縁から立ち上がる側壁５１２とを有している。
【００７０】
なお、操作レバーは、種々の態様が考えられ、上述したものには限られない。
【００７１】
＜リンク機構＞
リンク機構６は、図８、図１３及び図１４に示すように、先端６１ａが前記ドライブシャフト３６を介して前記スライド部材３１に接続されるとともに後端６１ｂが前記ベースフレーム２１に上側の支軸２７を介して接続される第１のリンクメンバ６１と、この第１のリンクメンバ６１の下方に位置させて前記ベースフレーム２１に保持された下側の支軸５３を軸にして前記第１のリンクメンバ６１を上方に押し上げるための第２及び第３のリンクメンバ６２、６３とを具備してなる。
【００７２】
ここで、第２及び第３のリンクメンバ６２、６３は、トグル的な倍力作用をなすように配置されている。すなわち、前記第２のリンクメンバ６２は、基端６２ａが前記ベースフレーム２１に下側の支軸５３を介して接続されたものであり、前記操作レバー５が上方に回動操作された場合に前記基端６２ａを中心に回転動作する。この第２のリンクメンバ６２は、前記操作レバー５に一体に設けられており、下側の支軸５３を操作レバー５の支軸と共通のものとしている。また、前記第３のリンクメンバ６３は、前記第２のリンクメンバ６２の回動端６２ｂと前記第１のリンクメンバ６１の中間６１ｃとを連結するものである。具体的には、この第３のリンクメンバ６３は、一端６３ａを第１結合軸６６を介して前記第１のリンクメンバ６１に枢着するとともに、他端６３ｂを第２結合軸６７を介して前記第２のリンクメンバ６２の回動端６２ｂに枢着したものである。したがって、第２結合軸６７は、レバープレート５１の底壁５１１にほぼ沿った操作レバー５の芯上に、直接は設けられておらず、操作レバー５の前記芯から第２のリンクメンバ６２を介して離れた位置に設けられている。すなわち、第２結合軸６７が操作レバー５の前記芯よりも第１のリンクメンバ６１側に位置するように、前記操作レバー５と前記第３のリンクメンバ６３との位置関係が設定されている。換言すれば、第２結合軸６７が、前記操作レバー５の下側の支軸５３とこの支軸５３を中心に回動する回動端５１ａとを結んだ軸線と、前記第１のリンクメンバ６１の上側の支軸２７とこの支軸２７を中心に回動する回動端たる先端６１ａとを結んだ軸線との間に配されるように設定されている。
【００７３】
第１のリンクメンバ６１は、図８、図１３及び図１４に示すように、天壁６１１と、この天壁６１１の左右両側縁から垂下する左右の側壁６１２とを備えた金属製のものである。前記天壁６１１には、該天壁６１１と前記ベースフレーム２１の後部ハウジングＲの天壁Ｒ２との間に配されるコイルスプリングＳ３を配するためのスプリング保持部６１３が設けてあり、このコイルスプリングＳ３により前記第１のリンクメンバ６１は下方に付勢されている。前記左右の側壁６１２の前端部には、前記ドライブシャフト３６を案内するための長孔６１４を設けている。
【００７４】
第２のリンクメンバ６２は、図８、図１３及び図１４に示すように、前記レバープレート５１の側壁５１２に一体に設けられている。すなわち、この実施形態における前記第２のリンクメンバ６２と前記操作レバー５のレバープレート５１とは、共通の板金素材により作られた一体構造物であり、前記下側の支軸５３を貫通させるための共通貫通孔６２１を備えている。
【００７５】
第３のリンクメンバ６３は、図８、図１３及び図１４に示すように、底壁６３１と、この底壁６３１の左右両側縁から立ち上がる左右の側壁６３２とを備えたチャンネル状をなす金属製のものである。
【００７６】
なお、リンク機構は、種々の態様が考えられ、上述したものには限られない。また、リンク以外の方法でベース部と刃ユニットとを接続するものであってもよい。
【００７７】
＜パンチ台＞
パンチ台４は、図１ないし図３、図７、及び図１３ないし図２１に示すように、前記抜き刃３２及び切込刃３３が挿入可能な刃貫通孔４１１、４２２と、この刃貫通孔４１１、４２２を通して前記用紙Ｐを視認可能な窓４２１とを有するものである。具体的には、このパンチ台４は、扁平箱形をなすトップケース４２と、このトップケース４２の下部に前記抜き刃３２と協働して用紙Ｐに打ち抜き孔Ｐ１を穿孔するためのアンビル４１とを備えている。前記トップケース４２は、上方及び前方に開放された窓４２１を有している。このトップケース４２は、前記抜き刃３２が通過する穿孔部４２３と、前記切込刃３３が通過する通過孔４２４とを備えた樹脂製のもので、前記刃貫通孔４２２から前記用紙Ｐの切り粉が落ちることを抑制する壁４２５、４２６が、前記穿孔部４２３及び通過孔４２４の縁から立ち上げて形成されている。
【００７８】
壁４２５、４２６は、前記穿孔部４２３及び通過孔４２４の縁に沿って土手状をなすように連続的に形成されている。詳述すれば、この壁４２５、４２６は、前部に低い壁４２６を設けるとともに後部に高い壁４２５を設けて高低差のあるものとしている。そして、この高い壁４２５は、後述する窓カバー４３を一定の位置まで開けた際に、刃貫通孔４２２の上方へ使用者の指が入って、前記抜き刃３２及び切込刃３３に不意に触ってしまうことを防止または抑制するための役割も担っている。また、トップケース４２の前記壁４２５、４２６の後側は、前記ベースフレーム２１の後部ハウジングＲの外側を覆うようにして嵌め合わせられる。
【００７９】
アンビル４１は、図７、及び図１３ないし図２１に示すように、前記抜き刃３２と協働して用紙Ｐに打ち抜き孔Ｐ１及び逃げ部Ｐ６を穿設するための穿孔部４１２と、前記切込刃３３が通過する通過孔４１３とを備えた金属製のもので、前記トップケース４２の下面に重ね合わせた状態で、前記ベースフレーム２１に図示しないビス及び位置決めピンを用いて取り付けられている。この実施形態においては、前記アンビル４１の下向面４１４における前記刃貫通孔４１１よりも用紙挿入側に位置する部位に、前記接合部分Ｐ１３を上側から挟圧するための隆起部４１５を設けている。
【００８０】
窓４２１は、図３、図１３及び図１４に示すように、透明な窓カバー４３によって覆われている。この窓カバー４３は、前記トップケース４２内に溜まった紙粉を外部に取り除くために開閉可能に取り付けられている。また、この窓カバー４３は、開放した際に抜き刃３２及び切込刃３３に使用者の手が届かなくなるように、一定の位置で止まるように設定されている。具体的には、図２及び図３に二点鎖線で示すように、前記アンビル４１及びトップケース４２の穿孔部４１２、４２３の上方を覆うとともに通過孔４１３、４２４の上方を露出させるような位置まで開放し得るようになっている。すなわち、この窓カバー４３は、トップケース４２の壁４２５、４２６の上方に設けられ、低い壁４２６の上方を覆うとともに高い壁４２５の上方を露出させるような位置まで開放し得るようになっている。
【００８１】
なお、パンチ台は、種々の態様が考えられ、上述したものには限られない。
【００８２】
このような綴じ機１において、図４、図１３及び図１４に示すように、前記前記用紙挿入用隙間３５に挿入された用紙Ｐが当接する部位、すなわち隙間３５の奥に配された係止壁Ｉ３に、前記用紙Ｐの角部Ｐ４を当接させることにより用紙Ｐの位置決めを行う位置決め部Ｉ１を形成している。前記係止壁Ｉ３は、用紙Ｐの一辺を挿入した際の挿入量を規定するものである。この係止壁Ｉ３は、ベース部２の後部ハウジングＲの前端に設けられたアンビル取付座としての機能を有しており、この係止壁Ｉ３の上面に前記パンチ台４のアンビル４１が取り付けられる。前記係止壁Ｉ３の中央部には、該係止壁Ｉ３を平面視略直角二等辺三角形状に切り欠いて形成された位置決め部Ｉ１を有している。
【００８３】
また、前記綴じ機１の両側面には、図１ないし図３に示すように、位置決め部Ｉ１により位置決めした用紙Ｐの位置決め状態を確認するための目印Ｉ２を設けている。具体的には、前記パンチ台４のトップケース４２の外面に、位置決め部Ｉ１によって正確に位置決めされた場合の用紙Ｐの姿勢を示唆するための目印Ｉ２が設けられている。この目印Ｉ２は、平面視において用紙Ｐの辺とトップケース４２の外面との交点に対応する部位に設けられた縦筋状の突条である。
【００８４】
なお、位置決め部や目印は、種々の態様が考えられ、上述したものには限られない。
【００８５】
なお、本実施形態における刃駆動機構７とは、図８、及び図１３ないし図２１に示すように、前記ベース部２に設けられ、操作レバー５に加えられる操作力を利用して前記抜き刃３２及び切込刃３３の上下方向に動作させるものであり、詳述すれば、前記抜き刃３２及び切込刃３３を保持し前記ベース部２に対して上下方向に昇降可能なスライド部材３１と、このスライド部材３１を前記操作レバー５に加えられる操作力により前記抜き刃３２及び切込刃３３が用紙Ｐを貫通する穿孔位置（Ｃ）まで上方へ動作させる刃打ち込み機構８と、前記スライド部材３１を前記抜き刃３２及び切込刃３３が用紙Ｐから抜き取られる前記待機位置（Ｎ）まで復帰させる刃抜き取り機構９とを主体に構成されている。なお、刃駆動機構は、以下に詳述するものに限られず、種々の態様が考えられるのはもちろんのことである。
【００８６】
詳述すれば、前記刃打ち込み機構８は、図８、図１３及び図１４に示すように、操作レバー５に加えられる操作力を利用して、前記抜き刃３２及び前記切込刃３３を保持したスライド部材３１を上方に移動させ、前記抜き刃３２及び切込刃３３をベースフレーム２１の上向面Ｆ１４側の隙間３５にセットされた用紙Ｐに貫入させるためのもので、前記操作レバー５とスライド部材３１との間に配された前記リンク機構６を主体にして構成されている。
【００８７】
また、本実施形態における刃抜き取り機構９は、図８、図１３、図１４、及び図１８ないし図２１に示すように、前記抜き刃３２及び前記切込刃３３を保持したスライド部材３１を前記ベースフレーム２１を足場にして下方に付勢する弾性体たる前記コイルスプリングＳ１と、前記第１のリンクメンバ６１を前記ベースフレーム２１を足場にして下方に付勢する弾性体たる前記コイルスプリングＳ３とを主体に構成されている。
【００８８】
なお、この実施形態のように、スライド部材３１と、操作レバー５とをリンク機構６により接続しておけば、刃抜き取り機構９の性能をさらに向上させることができる。すなわち、用紙Ｐの枚数が多くなり、前記コイルスプリングＳ１及びコイルスプリングＳ３の力だけでは切起片Ｐ５を用紙Ｐの一面Ｐａ側に引き抜くことができない場合でも、前記操作レバー５に、下方への操作力を加えることによって、引き抜きを完了させることが可能となる。
【００８９】
＜作動説明＞
次に、この綴じ機１の作動を説明する。
【００９０】
操作レバー５を操作しない状態では、図１３及び図１５に示すように、スライド部材３１が下限位置に保持されており、前記インナーカム３４が抜き刃３２内に収容された初期姿勢（Ｓ）を保っている。この状態で、重ね合わせた複数枚の用紙Ｐをベースフレーム２１の上向面Ｆ１４とアンビル４１の下向面４１４との間に形成されている隙間３５の奥まで挿入する。そして、窓カバー４３の上方から、刃貫通孔４１１、４２２を通して用紙Ｐに穿孔される打ち抜き孔Ｐ１、逃げ部Ｐ６及びカット孔Ｐ２の位置を確認する。また、綴じ機１の側面側に設けた目印Ｉ２を用いて、位置決め部Ｉ１により位置決めした用紙Ｐの位置決め状態を確認する。しかる後に、操作レバー５を上方に操作すると、この操作レバー５に加えられた力が、リンク機構６を通じてスライド部材３１の上方への動きに変換して伝えられる。
【００９１】
詳述すれば、操作レバー５を上方に操作すると、この操作レバー５のレバープレート５１は、下側の支軸５３を中心に回転動作するとともに、このレバープレート５１に一体に設けられた第２のリンクメンバ６２が下側の支軸５３を中心に上方に回転動作する。その結果、この第２のリンクメンバ６２の回動端側に設けられた第２結合軸６７は、第１のリンクメンバ６１の方向へ、すなわち前方上方へと移動することとなる。前記第２結合軸６７を介して接続された第３のリンクメンバ６３は、第２のリンクメンバ６２の回転動作に伴って、起立しながら第１のリンクメンバ６１を上方へ押し上げる。すなわち、前記第３のリンクメンバ６３の回動端側に設けられた第１結合軸６６は、前記コイルスプリングＳ３の付勢力に抗して第１のリンクメンバ６１の中央６１ｃを上方に押す方向へと移動する。それによって、前記第１のリンクメンバ６１は、上側の支軸２７を中心に回転動作するため、その前端部６１ａが上方に移動する。
【００９２】
このようにして、前記操作レバー５を上方に操作した力が、前記第２のリンクメンバ６２、第３のリンクメンバ６３、及び第１のリンクメンバ６１を介してドライブシャフト３６に伝達される。その結果、前記スライド部材３１を上方に移動させることとなる。
【００９３】
スライド部材３１が上方に移動を始めると、最初に前記スライド部材３１の底壁と前記ベースフレーム２１の前部ハウジングＦの天壁Ｆ１との間に配されたコイルスプリングＳ１が圧縮され、このコイルスプリングＳ１の付勢力に抗してスライド部材３１が上昇する。その後、このスライド部材３１に取り付けられた抜き刃３２及び切込刃３３の先端が用紙Ｐの一面Ｐａに当接し、この用紙Ｐがアンビル４１に押し付けられる位置まで押し上げられる。そして、この位置から操作レバー５をさらに上方に操作すると、前記抜き刃３２及び切込刃３３の刃先３７５、３８１、３９１によって用紙Ｐがアンビル４１に押しつけられた状態のまま、図１６に示す状態を経て、前記抜き刃３２及び前記切込刃３３が前記用紙Ｐを貫通し、その用紙Ｐに打ち抜き孔Ｐ１、逃げ部Ｐ６及びカット孔Ｐ２が穿孔される。なお、本実施形態においては、前記抜き刃３２の刃本体３７５による打ち抜き孔Ｐ１の穿孔とほぼ同時またはその後に抜き刃３２の補助刃部３８によって逃げ部Ｐ６が穿孔される。穿孔後さらに、前記抜き刃３２及び前記切込刃３３が上昇すると、図１７に示すように、前記抜き刃３２の内部に配されるインナーカム３４のアーム３４４が前記係止壁Ｆ１３に当接し、インナーカム３４とスライド部材３１との間に配されるコイルスプリングＳ２の付勢力に抗して、前記インナーカム３４が図１８に示すような回動姿勢（Ｋ）まで回動する。その結果、打ち抜き孔Ｐ１から用紙Ｐの他面Ｐｂ側に切り起こされた切起片Ｐ５の先端Ｐ５１側が、切込刃３３の窓Ｄ３に挿入される。
【００９４】
ついで、操作レバー５への操作を解除すると、図１９に示すように、前記コイルスプリングＳ２の付勢により前記インナーカム３４が回動姿勢（Ｋ）から初期姿勢（Ｓ）に復帰する。そして、前記抜き刃３２及び切込刃３３がコイルスプリングＳ１及びコイルスプリングＳ３の付勢により没入側たる下方に移動し、用紙Ｐがアンビル４１から引き離されながら抜き刃３２及び切込刃３３が用紙Ｐから抜き取られる。その際に、図２０に示すように、切込刃３３の窓Ｄ３に挿入されている切起片Ｐ５がカット孔Ｐ２を通過して用紙Ｐの一面Ｐａ側に抜き出され、図２１に示すように、前記切込刃３３により複数の用紙Ｐが結合される。
【００９５】
この状態で、用紙Ｐを綴じ機１から抜き取れば、その途上において、前記ベースフレーム２１の隆起部Ｆ１５と、前記アンビル４１の隆起部４１５との間に形成された狭い隙間に、前記傾斜面Ｆ１６の案内作用により強制的に導かれることになり、前記用紙Ｐの接合部分Ｐ３が厚み方向に圧縮変形され、図２１に二点鎖線で示すように、前述した冊子Ｂができあがる。なお、前記コイルスプリングＳ１及びコイルスプリングＳ３の弾性力のみでは前記抜き刃３２及び切込刃３３を用紙Ｐの一面Ｐａ側に引き抜くことができない場合には、前記操作レバー５を下方に操作してその引き抜きを助勢すればよい。
【００９６】
次に、切起片Ｐ５とカット孔Ｐ２との係わり合わせについて詳述する。なお、図２２及び図２３は、係わり合わせについて説明するために刃駆動機構７を構成する要素のうち、用紙Ｐ及び切込刃３３のみを模式的に表したものである。
【００９７】
まず、切込刃３３が穿孔位置（Ｃ）に到達する過程で、打ち抜き孔Ｐ１から用紙Ｐの他面Ｐｂ側に切り起こされた切起片Ｐ５の先端Ｐ５１側は、切込刃３３の窓Ｄ３に挿入される。すなわち、図１７に示すように、切起片Ｐ５の先端Ｐ５１側は、前記窓Ｄ３の先端側の縁Ｄ３４に形成された中央非接触部Ｄ３６を最初に通過し、切込刃３３の窓Ｄ３に挿入される。詳述すれば、図１７及び図１８に示すように、切込刃３３が可動し得る最上端まで達する過程で、インナーカム３４が回動姿勢（Ｋ）となり、前記切込刃３３の窓Ｄ３に切起片Ｐ５を挿入しつつ、インナーカム３４自体も窓Ｄ３に挿入される。その際、切起片Ｐ５の先端領域Ｐ５５は、前記窓Ｄ３の中央非接触部Ｄ３６及び前記窓Ｄ３の拡幅部Ｄ３２を通過した後、この拡幅部Ｄ３２に隣接して設けられた縮幅部Ｄ３１に達する。この縮幅部Ｄ３１に押し込まれた切起片Ｐ５は、先端領域Ｐ５５の左右両端側が前記縮幅部Ｄ３１よりも大きい幅寸法Ｗ３を有しているので、前記縮幅部Ｄ３１の側縁に設けられた第二のブレードＤ２に沿って湾曲した状態となる。
【００９８】
次に、操作レバー５への操作が解除され、切込刃３３が用紙Ｐから抜き取り方向に移動し始めると、切込刃３３が降下し、切起片Ｐ５の先端領域Ｐ５５は、縮幅部Ｄ３１による拘束から解放されて拡幅部Ｄ３２内に移行する。すなわち、前記切込刃３３の第二のブレードＤ２が用紙Ｐ２側へと沈み込むにつれて、先端領域Ｐ５５の左右両端部が前記第二のブレードＤ２から解放され、拡幅部Ｄ３２側へと移動するものである。なお、拡幅部Ｄ３２側へと移動された切起片Ｐ５の幅広部Ｐ５６は、前記第二のスリットＬ２の先端Ｌ２１よりも打ち抜き孔Ｐ１から離れる側に位置している。さらに、切起片Ｐ５の幅広部Ｐ５６の幅寸法Ｗ３が、窓Ｄ３の縮幅部Ｄ３１の幅寸法Ｗ１１よりも大きくなるように抜き刃３２の形状及び寸法、切込刃３３の形状及び寸法、並びに前記抜き刃３２と切込刃３３の相対位置が設定されているので、前記幅広部Ｐ５６の外端Ｐ５７が、前記第二のスリットＬ２よりも外側に位置している。
【００９９】
さらに、図１９及び図２２に示すように、切込刃３３が降下し、窓Ｄ３の拡幅部Ｄ３２が用紙Ｐ側へと沈み込むにつれて、前記窓Ｄ３の先端側の縁Ｄ３４が、切起片Ｐ５の先端領域Ｐ５５に部分的に当接し始める。
【０１００】
そして、図２０及び図２３に示すように、切起片Ｐ５の先端領域Ｐ５５が前記切込刃３３の抜出動作に伴って用紙Ｐの他面Ｐｂ側から一面Ｐａ側に引き抜かれる。すなわち、切込刃３３が用紙Ｐから抜き取られる際に、前記窓Ｄ３の先端側の縁Ｄ３４が切起片Ｐ５の先端領域Ｐ５５に圧接し、前記切起片Ｐ５の先端領域Ｐ５５が前記カット孔Ｐ２を通過して用紙Ｐの他面Ｐｂ側から一面Ｐａ側に導かれる。換言すれば、切起片Ｐ５は、切込刃３３の窓Ｄ３の先端側の縁Ｄ３４により用紙Ｐの一面側に引っ張られる。その際に、前記先端側の縁Ｄ３４が前記接触部Ｄ３５及び非接触部Ｄ３６、Ｄ３７を備えているので、前記切起片Ｐ５の先端領域Ｐ５５に圧接した際に切起片Ｐ５が湾曲する。その結果、先端領域Ｐ５５と窓の先端側の縁Ｄ３４とが前記接触部Ｄ３５において点接触状態、あるいはそれに近い状態となる。換言すれば、本実施形態においては、切込刃３３を用紙Ｐから抜き取る際に、切起片Ｐ５が対をなす接触部Ｄ３５によって切起片Ｐ５の両側部を部分的に押圧することになる。一方、前記接触部Ｄ３５間に存在する中央非接触部Ｄ３６や前記接触部Ｄ３５より外側に存在する両端非接触部Ｄ３７には切起片Ｐ５が接触しないことになる。つまり、前記接触部Ｄ３５が、切起片Ｐ５の両側部を点状に押圧して、切起片Ｐ５をカット孔Ｐ２に通過させるようにしている。したがって、前記切込刃３３を引き抜く際、換言すれば、切起片Ｐ５が切込刃３３の窓Ｄ３に入ってカット孔Ｐ２を通過する際に切込刃３３と切起片Ｐ５との間に生じる摩擦力を低減させることができる。詳述すれば、切込刃３３の変位により前記切起片Ｐ５を前記カット孔Ｐ２の中に導く際には、前記接触部Ｄ３５と切起片Ｐ５との接触位置が、切起片Ｐ５の長手方向に沿って滑らかにすべるように変化することとなる。したがって、綴じ機１で用紙Ｐを綴じこむ際に、切込刃３３と切起片Ｐ５との摩擦による操作の負担を軽減することが可能になる。
【０１０１】
また、このように切起片Ｐ５の先端部分が用紙Ｐの一面Ｐａ側に押し出される際に、図２０及び図２３に示すように、切起片Ｐ５の基端Ｐ５２は切起片Ｐ５が押される方向、すなわち切起片Ｐ５の長手方向に沿って一時的に付勢される。その際、切起片Ｐ５の基端Ｐ５２近傍にスリット状の逃げ部Ｐ６が形成されているため、用紙Ｐにおける打ち抜き孔Ｐ１の基端Ｐ１３の周囲には応力が集中せずに分散される。そして、切起片Ｐ５が付勢されることにより、応力が集中しやすい切起片Ｐ５の基端Ｐ５２及びこの近傍の用紙Ｐが微細に変移する。
【０１０２】
具体的には、図２２及び図２３に示すように、用紙Ｐにおける逃げ部Ｐ６よりもカット孔Ｐ２側に位置する部分Ｐ１０が、用紙Ｐにおける逃げ部Ｐよりもカット孔Ｐ２側に位置する片持ち片Ｐ９に対して相対的に厚み方向に変位する。換言すれば、切起片Ｐ５が付勢された際に、用紙Ｐにおける逃げ部Ｐ６よりもカット孔Ｐ２側に位置する部分Ｐ１０が、切起片Ｐ５の基端Ｐ５２近傍の用紙Ｐが破れないように一時的に弾性変形することとなる。
【０１０３】
したがって、本実施形態では、用紙Ｐの枚数が比較的多い場合であっても、用紙Ｐの所要箇所に逃げ部Ｐ６を設けることにより、切起片Ｐ５の基端Ｐ５１、より具体的には、用紙Ｐにおける打ち抜き孔Ｐ１の基端Ｐ１３の周囲が破断してしまうという不具合を防止または抑制することが可能となっている。
【０１０４】
さらに、第一のブレードＤ１で切り欠いた第一のスリットＬ１と第二のブレードＤ２で切り欠いた第二のスリットＬ２とによって片持ち状態となった用紙Ｐの片持ち片Ｐ７、Ｐ８が、片観音開きのように反り返る。そして、この片持ち片Ｐ７、Ｐ８の自由端側が上下方向に変位することによって、前記切起片Ｐ５が前記カット孔Ｐ２に貫通させられる。詳述すれば、図５に示すように、前記切起片Ｐ５の先端領域Ｐ５５のうち、第一のスリットＬ１を挟んで打ち抜き孔Ｐ１と反対側の部分を第一のスリットＬ１に係わり合わせるとともに、前記切起片Ｐ５の先端領域Ｐ５５のうち、第二のスリットＬ２よりも外側の部分を第二のスリットＬ２に係わり合わせる。換言すれば、切起片Ｐ５の幅広部Ｐ５６から先端Ｐ５１に至る縁を第一のスリットＬ１に係わり合わせるとともに、幅広部Ｐ５６から境界部Ｐ５３に至る縁を第二のスリットＬ２に係わり合わせている。
【０１０５】
なお、図２０に示す状態から、さらに切込刃３３が没入方向、すなわち下方に移動すると、切込刃３３の第一のブレードＤ１によって下方に引っ張られていた切起片Ｐ５の先端領域Ｐ５５が元の位置に復帰しようとする。したがって、切込刃３３が用紙Ｐから完全に離れると、図２１に示すように、前記切起片Ｐ５の先端Ｐ５１側は、前記用紙Ｐの一面Ｐａ側に添うこととなる。
【０１０６】
＜第１実施形態の効果＞
以上に述べたように、本実施形態に係る綴じ機１においては、前記抜き刃３２が、前記切起片Ｐ５を前記カット孔Ｐ２に挿通させる際の前記切起片Ｐ５の基端Ｐ５２への応力集中を緩和する破れ抑制用の逃げ部Ｐ６を用紙Ｐに形成するための補助刃部Ｐ６を備えてなるものであるため、複数枚の用紙Ｐを綴じる過程において、切起片Ｐ５の基端Ｐ５２の周囲が破断してしまうという不具合、より詳しく言えば、用紙Ｐにおける切起片Ｐ５の基端Ｐ５２の両側部分に対応している打ち抜き孔Ｐ１の基端Ｐ１３から用紙Ｐに破れが生じてしまうという不具合を好適に解消又は抑制することができ、綴じ力を安定したものとすることができる。しかも、複数枚の用紙Ｐにおいて綴じられる部分に、用紙Ｐが破断した部分が出現しにくいものとなるため、用紙Ｐが綴じられた状態でも利用者等からみた見苦しさが抑制されるものとなる。換言すれば、複数枚の用紙Ｐを綴じた状態で、綴じ部分の見栄えを良好なものとすることができる。
【０１０７】
特に、多くの枚数の用紙Ｐ、例えば５〜６枚以上の一般的な紙製の用紙Ｐを綴じる場合には、切起片Ｐ５の基端に大きな応力が生じて破断が生じやすいが、抜き刃３２が、用紙Ｐの所定箇所に逃げ部Ｐ６を形成するための補助刃部Ｐ６を備えているものであれば、多くの枚数の用紙Ｐを綴じる場合であっても所期の目的を達成することができる。
【０１０８】
前記逃げ部Ｐ６が、前記打ち抜き孔Ｐ１の基端Ｐ１３から側方に延びるスリット状のものであり、逃げ部Ｐ６を形成するための補助刃部３８が、抜き刃３２の刃本体３７の基端、すなわち、平面視における基端から側方に連続して延びるブレード状のものであるので、用紙Ｐに対して打ち抜き孔Ｐ１とともに逃げ部Ｐ６を無理なく形成することができる。
【０１０９】
前記抜き刃３２の刃本体３７と補助刃部３８とが共通の板金素材を用いて一体に形成されたものであるので、用紙Ｐに対して打ち抜き孔Ｐ１及び逃げ部Ｐ６を形成するための刃先３７５、３８１が連続した抜き刃３２を形成しやすいものとなっている。
【０１１０】
前記切起片Ｐ５が、前記先端部分を含む先端領域Ｐ５５と、この先端領域Ｐ５５に連続し前記先端領域Ｐ５５の最も幅の広い幅広部Ｐ５６よりも幅狭な基端領域Ｐ５４とを有してなるものであり、前記刃本体３７が、前記先端領域Ｐ５５を形成するための先端領域形成部３７１と、この先端領域形成部３７１に連続して形成された前記基端領域Ｐ５４を形成するための基端領域形成部３７４とを備えたものであるので、用紙Ｐに形成される切起片Ｐ５の形状を、カット孔Ｐ２に係り合わせるための好適なものとすることができる。
【０１１１】
補助刃部３８が、前記切起片Ｐ５の長手方向に対して直交する方向に延びるものであるため、逃げ部Ｐ６を切起片Ｐ５に対して好適に設けることができる。すなわち、本実施形態では、切起片Ｐ５の長手方向に対して直交する方向に延びるスリット状の逃げ部Ｐ６が、打ち抜き孔Ｐ１の基端Ｐ１３から前述した方向に延びているため、切込刃３３によって切起片Ｐ５が引っ張られる際に、用紙Ｐの変形を促しやすいものとなる。
【０１１２】
また、本実施形態に示される綴じ機１に使用される刃、すなわち抜き刃３２は、前記刃本体３７の刃先３７５と補助刃部３８の刃先３８１とが連続して形成されているものであるので、切起片Ｐ５をカット孔Ｐ２に挿通させる際の切起片Ｐ５の基端Ｐ５２への応力集中を緩和することができ、所期の目的を達成することができる。
【０１１３】
前記窓Ｄ３の先端側の縁Ｄ３４が、切起片Ｐ５の少なくとも両側部を部分的に押圧してカット孔Ｐ２に挿通させるための接触部Ｄ３５と、切起片Ｐ５に接触しない非接触部Ｄ３６、Ｄ３７とを備えているので、切起片Ｐ５の枚数が比較的多い場合であっても切起片Ｐ５が窓Ｄ３の縁Ｄ３４に巻き付いたり、引っ掛かったりして摩擦力が増大することを抑制することができる。すなわち、従来のように切起片を窓の先端側の縁に沿わせるようにしたものにおいて生じていた不具合を抑制することができる。
【０１１４】
詳述すれば、従来のものは、窓の先端側の縁と切起片とを全体的に当接させており、切込刃を用紙から抜き取る際に窓の縁と切起片との間に生じる摩擦が大きくなっていた。すなわち、従来は、窓の先端側の縁が切起片に線状に接触しており、切込刃の変位により前記切起片をカット孔の中に導く際には、切起片と窓の先端側の縁との係わり合いが強くなりすぎて先端側の縁に対して切起片がすべりづらいものであった。このようなものであると、コイルスプリングＳ１及びコイルスプリングＳ３の力だけでは切起片を用紙の一面側に引き抜くことが難しくなる。ところが、本実施形態に示すものは、切起片Ｐ５の両側部を前記先端側の縁Ｄ３４に点状に当接させるものであるので、切込刃３３を用紙Ｐから抜き取る際に窓Ｄ３の縁Ｄ３４と切起片Ｐ５との間に生じる摩擦を小さくすることができる。そのため、無理なく切起片Ｐ５をカット孔Ｐ２に挿通させることができ、切込刃３３に無駄な抵抗力がかかるのを抑制することができる。したがって、操作レバー５の初期位置までの戻り動作をスムーズなものとすることができ、操作レバー５から使用者に与える違和感を小さくすることができる。
【０１１５】
また、切起片Ｐ５と切込刃３３との間に生じる摩擦力が増大することを緩和することができるので、コイルスプリングＳ１及びコイルスプリングＳ３として弾性力の大きいスプリングを用いる必要がなくなる。そのため、軽い操作力で操作可能な綴じ機１を提供することができる。
【０１１６】
本実施形態の窓Ｄ３は、先端側の縁Ｄ３４に前記切起片Ｐ５をカット孔Ｐ２に押し込むための接触部Ｄ３５を備えているので、切起片Ｐ５の先端領域Ｐ５４を積極的にカット孔Ｐ２に差し込むことができる。特に、接触部Ｄ３５が、前記窓Ｄ３の先端側の縁Ｄ３４に面取り加工を施したものであるので、湾曲した接触部Ｄ３５が切起片Ｐ５の上を滑りながら点状に押圧することとなり、切起片Ｐ５を損傷させるおそれが少ない。また、中央非接触部Ｄ３６が切込刃３３の幅方向ほぼ中央に設けられており、接触部Ｄ３５がその両端の左右対称位置に設けられているので、切起片Ｐ５の先端領域Ｐ５４を左右均等に押すことができる。
【０１１７】
また、接触部Ｄ３５はメインスリットＬ１１と同じ平面内に位置しており、その厚み寸法はメインスリットＬ１の厚み寸法と同じである。そのため、この接触部Ｄ３５によって、切起片Ｐ５の先端Ｐ５１側を確実に用紙Ｐの一面Ｐａ側に表出させることができる。さらに、切起片Ｐ５の先端Ｐ５１側が一面Ｐａ側に表出される勢いで、係わり合わされる前に片持ち片Ｐ８の上方、すなわち用紙Ｐの他面Ｐｂ側に位置していた切起片Ｐ５の先端領域Ｐ５５における左右両端部分を、片持ち片Ｐ８の下方、すなわち用紙Ｐの一面Ｐａ側に位置させることができる。すなわち、片持ち片Ｐ７、Ｐ８が用紙Ｐの厚み方向に反り上がることで、この片持ち片Ｐ７と片持ち片Ｐ８とが隣接する第二のスリットＬ２部分で、切起片Ｐ５をカット孔Ｐ２に係わり合わせることができる。
【０１１８】
特に、本実施形態に示した中央非接触部Ｄ３６は、前記窓Ｄ３の先端側の縁Ｄ３４の中央部分を先端側に凹陥させたものであるので、切起片Ｐ５を窓Ｄ３に挿通させやすい。すなわち、先に切起片Ｐ５の先端Ｐ５１部分が窓Ｄ３に挿入される前に前記中央非接触部Ｄ３６に挿入されるため、切起片Ｐ５の先端Ｐ５１がメインブレードＤ１１に引っ掛かることを抑制することができる。特にこの効果は、以上の実施形態に示したように切起片Ｐ５が矢印形状をなす等、先端領域Ｐ５５が先細りの形状をなしている場合に顕著となる。また、中央非接触部Ｄ３６が、湾曲部分を有した半円形状をなすものであるので、対をなす接触部Ｄ３５によって両側部を押圧され厚み方向に湾曲した切起片Ｐ５が挿通しやすい構造となっている。
【０１１９】
前記中央非接触部Ｄ３６が、窓Ｄ３の先端側の縁Ｄ３４の中央部分を先端側に凹陥させたものであるので、板金素材の打ち抜き加工によって容易に形成することができる。また、従来のような板金素材の折曲加工によって円滑案内部を作る場合のように、折り曲げた余剰素材を挿入するための孔をメインブレードの先端側に設ける必要がなくなるため、切込刃３３の刃先３９１と窓Ｄ３の先端側の縁Ｄ３４との距離を小さく設定することができる。特に、この切込刃３３は、先端における幅方向中央部が最も突出する刃先３９１を有し、前記非接触部Ｄ３６がこの刃先３９１に対応させて幅方向中央に形成されているので、刃先３９１と窓Ｄ３との距離を小さくするができる。そのため、切込刃３３の基端から先端までの距離を従来のものに比べて短くすることができ、切込刃３３の進退方向のストロークを従来のものよりも小さく設定することができる。したがって、綴じ機１全体の進退方向のコンパクト化を図ることができる。
【０１２０】
また、前記切起片Ｐ５の先端領域Ｐ５５における最大幅寸法である幅広部Ｐ５６の幅寸法Ｗ３が、前記窓Ｄ３の拡幅部Ｄ３２の幅寸法Ｗ１よりも小さく、かつ、前記凹陥させた中央非接触部Ｄ３６の幅寸法Ｗ７よりも大きく設定されたものであるので、切起片Ｐ５を窓Ｄ３の拡幅部Ｄ３２に容易に挿通させることができ、一旦窓Ｄ３に挿通された切起片Ｐ５は、対をなす接触部Ｄ３５によって切起片Ｐ５の両側部を押圧しながらカット孔Ｐ２に挿通させることができる。
【０１２１】
切込刃３３は、前記窓Ｄ３を有した第一のブレードＤ１と、この窓Ｄ３の両側縁に形成された第二のブレードＤ２とを備えたものであるので、前記切起片Ｐ５を適切に係止し得るカット孔Ｐ２を形成することができる。
【０１２２】
特に、本実施形態のものは、前記第二のブレードＤ２により形成される第二のスリットＬ２が、前記第一のブレードＤ１により形成される第一のスリットＤ１の途中から打ち抜き孔Ｐ１方向に伸びるものであり、前記切起片Ｐ５が、先端Ｐ５１側に幅広部Ｐ５６を備え、前記切起片Ｐ５の幅広部Ｐ５６から基端Ｐ５２に至る縁を前記第二のスリットＬ２に係わり合わせるように構成されているので、用紙Ｐの素材にかかわりなく切起片Ｐ５の係止状態を維持できる。
【０１２３】
詳述すれば、切込刃３３が、前記切起片Ｐ５を係わり合わせるための窓Ｄ３を有し第一のスリットＬ１を形成するための第一のブレードＤ１と、前記第一のスリットＬ１の途中から打ち抜き孔Ｐ１方向に伸びる第二のスリットＬ２を形成するための第二のブレードＤ２とを備えたものであり、切起片Ｐ５の幅広部Ｐ５６から基端Ｐ５２に至る縁を前記第二のスリットＬ２に係わり合わせ得るようにしているので、切起片Ｐ５が第一のスリットＬ１と係わり合わされるのみならず、第二のスリットＬ２とも係わり合わされ、切起片Ｐ５とカット孔Ｐ２との接合状態をより信頼性の高いものにすることができる。
【０１２４】
すなわち、切起片を第一のスリットのみに係わり合わせるようにしたものは、冊子になんらかの力が加わって第一のスリットが上下方向に大きく開口してしまうと、切起片とカット孔との係わり合いが解除されるというおそれがある。しかしながら、本実施形態のようなものであれば、切起片Ｐ５が第二のスリットＬ２にも係わり合っているため、第一のスリットＬ１が上下方向に大きく開口してしまった場合であっても、切起片Ｐ５と第二のスリットＬ２との係わり合いは解除されることなく、その係合状態が保たれるものである。したがって、切起片Ｐ５とカット孔Ｐ２との接合状態を従来のものよりも良くすることができる。
【０１２５】
特に、プラスチック製のシート等、比較的表面の摩擦抵抗の少ない材質で作られたシートを多枚数綴じる場合であっても、切起片Ｐ５の幅広部Ｐ５６から境界部Ｐ５３に至る縁を前記第二のスリットＬ２に係わり合わせているため、片持ち片Ｐ８の下面側に切起片Ｐ５の先端領域Ｐ５５の一部が潜り込んだ状態とすることができる。したがって、切起片Ｐ５と第二のスリットＬ２の係わり合いは解除されることなく係合状態が保たれ、切起片Ｐ５とカット孔Ｐ２との接合状態を保持することができる。
【０１２６】
前記幅広部Ｐ５６が、前記第二のスリットＬ２の先端Ｌ２１よりも打ち抜き孔Ｐ１から離れる側に位置するように、前記抜き刃３２の形状及び寸法、前記切込刃３３の形状及び寸法、並びに前記抜き刃３２と切込刃３３の相対位置を設定しているので、切起片Ｐ５の幅広部Ｐ５６から基端Ｐ５２に至る縁を前記第二のスリットＬ２に係わり合わせ得るようにすることができる。すなわち、幅広部Ｐ５６が前記第二のスリットＬ２の先端Ｌ２１よりも打ち抜き孔Ｐ１側にある場合には、切起片Ｐ５の幅広部Ｐ５６から基端Ｐ５２に至る縁が第二のスリットＬ２に係わり合うことなく、切起片Ｐ５とカット孔Ｐ２との接合状態が比較的容易に解除されてしまうが、幅広部Ｐ５６の幅寸法Ｗ３が窓Ｄ３の縮幅部Ｄ３１の幅寸法Ｗ１１よりも大きく設定されていることと相俟って、切起片Ｐ５と第二のスリットＬ２との係合状態を保持することができる。すなわち、切起片Ｐ５が第一のスリットＬ１に係わり合うのみならず、この第一のスリットＬ１の途中から延出する第二のスリットＬ２にも係わり合っているため、第一のスリットＬ１のみからなるほぼ一直線状のカット孔に係わり合わせる場合よりも係わり合いやすくなっている。
【０１２７】
さらに、本実施形態では、前記幅広部Ｐ５６が、前記第一のスリットＬ１とほぼ一致するように前記抜き刃３２の形状及び寸法、前記切込刃３３の形状及び寸法、並びに前記抜き刃３２と切込刃３３の相対位置を設定していたが、前記幅広部Ｐ５６が、前記第一のスリットＬ１よりも打ち抜き孔Ｐ１側に位置するように、前記抜き刃３２の形状及び寸法、前記切込刃３３の形状及び寸法、並びに前記抜き刃３２と切込刃３３の相対位置を設定するのが好ましい。このようにすれば、第二のスリットＬ２と切起片Ｐ５とが係わり合う部分が増えることで、切起片Ｐ５とカット孔Ｐ２との接合状態の信頼性を高めることができる。換言すれば、片持ち片Ｐ８の一面側に位置する切起片Ｐ５の面積が比較的大きくなるため、より確実に切起片Ｐ５の幅広部Ｐ５６から基端Ｐ５２に至る縁を前記第二のスリットＬ２に係わり合わせ得るようにすることができる。
【０１２８】
また、前記幅広部Ｐ５６の外端Ｐ５７が、前記第二のスリットＬ２よりも外側に位置するように、換言すれば、前記幅広部Ｐ５６の幅寸法Ｗ３が、前記窓Ｄ３の縮幅部Ｄ３１の幅寸法Ｗ１１よりも大きくなるように、前記抜き刃３２の形状及び寸法、前記切込刃３３の形状及び寸法、並びに前記抜き刃３２と切込刃３３の相対位置を設定しているので、切起片Ｐ５の幅広部Ｐ５６から基端Ｐ５２に至る縁を前記第二のスリットＬ２に係わり合わせ得るようにすることができる。すなわち、幅広部Ｐ５６の外端Ｐ５７を確実に一面Ｐａ側に表出させることで、切起片Ｐ５が第二のスリットＬ２部分にひっかかった状態とすることができる。
【０１２９】
さらに、前記幅広部Ｐ５６の幅寸法Ｗ３が、前記窓Ｄ３の拡幅部Ｄ３２の幅寸法Ｗ１よりも小さくなるように、前記抜き刃３２の形状及び寸法、前記切込刃３３の形状及び寸法、並びに前記抜き刃３２と切込刃３３の相対位置を設定しているので、幅広部Ｐ５６の左右両端が窓Ｄ３の左右両側枠に引っ掛かるおそれが抑制され、切起片Ｐ５を確実に窓Ｄ３に入れることができる。したがって、切起片Ｐ５とカット孔Ｐ２とをスムーズに係わり合わせることができる。
【０１３０】
この綴じ機１は、パンチ台４を備えてなり、前記パンチ台４が、抜き刃３２及び切込刃３３が挿入可能な刃貫通孔４１１、４２２と、この刃貫通孔４１１、４２２を通して用紙Ｐを視認可能な窓４２１とを有するので、窓４２１から刃貫通孔４１１、４２２を通して用紙Ｐを視認可能であり、用紙Ｐのどの部分に打ち抜き孔Ｐ１が穿孔されるかを視覚的に把握することができる。そのため、刃貫通孔４１１、４２２に対する用紙Ｐの位置を調整するだけで、用紙Ｐの所望の位置に打ち抜き孔Ｐ１を穿孔することができる。本実施形態で説明した綴じ機１によれば、打ち抜き孔Ｐ１があけられる位置を把握することができるとともに、切込刃３３の上方においても窓４２１を介して視認可能としているため、用紙Ｐの所望の位置に切込刃３３を形成することもできる。
【０１３１】
また、この綴じ機１の使用者は用紙Ｐがどのように綴じられるのかを目で見ることができるため、綴じ機１の使用の際に、心地良い使用感を与えることができる。
【０１３２】
特に、本実施形態では、前記窓４２には窓カバー４３が取り付けられることによって窓４２が覆われている。しかし、この窓カバー４３が透明なものであるため、窓カバー４３を通して刃貫通孔４１１、４２２及び用紙Ｐを視認することができる。
【０１３３】
冊子Ｂの接合部分Ｐ３が厚み方向に圧縮変形させられているので、打ち抜き孔Ｐ１から切り起こされた切起片Ｐ５により複数枚の用紙Ｐを接合することになる。すなわちステープルの役割をなす切起片Ｐ５と用紙Ｐとが同質の紙製のものとなるため、廃棄する際にステープルを除去する必要がなくなる。そのため、用紙Ｐから金属製の針等を除去する細かな作業が不要となり、多くの用紙Ｐを廃棄する場合であっても、多大な労力と時間を要することなく廃棄することが可能となる。
【０１３４】
さらに、前記切起片Ｐ５による接合部分Ｐ３が圧縮されて、前記接合部分Ｐ３が用紙Ｐの弾性により接合直後の形態に戻らない状態まで圧縮変形させられているため、接合部分Ｐ３がかさばるのを抑制することができる。
【０１３５】
また、使用者がこのような綴じ機１に設けられた操作レバー５を握る及び解除するという一連の操作を行うことにより、複数枚の用紙Ｐの打ち抜き孔Ｐ１を形成するとともにその打ち抜き孔Ｐ１から切り起こされた切起片Ｐ５を用いてそれら複数枚の用紙Ｐが相互に接合されており、その接合部分Ｐ３が圧縮変形された冊子Ｂを作ることができる。
【０１３６】
また、アンビル４１をベースフレーム２１に固定しているので、綴じ機１全体の剛性を高めることができ、安定した操作が可能になる。
【０１３７】
用紙Ｐが比較的厚みを有する場合や、用紙Ｐの枚数が多い場合であっても、第一のスリットＬ１と第二のスリットＬ２とにより囲まれた部分、例えば片持ち片Ｐ７、Ｐ８が切込刃３３の引き抜き時に用紙Ｐの厚み方向に変形することになるので、より軽い操作力で操作レバー５を引き上げることができる。すなわち、操作レバー５へ反発力を与えるコイルスプリングをそれほど強力なものとする必要がなくなる。
【０１３８】
また、本実施形態における冊子Ｂである用紙束は、用紙Ｐにおける切起片Ｐ５の基端Ｐ５２に破れ抑制用の逃げ部Ｐ６を備えているので、複数枚の用紙Ｐが綴じられた状態においても切起片Ｐ５の破断の可能性を好適に抑制するものとなる。すなわち、複数枚の用紙Ｐが綴じられた状態の用紙束を使用者等が把持したり用紙をめくったりしても、各用紙Ｐにおける切起片Ｐ５の基端Ｐ５２の近傍に、打ち抜き孔Ｐ１の基端Ｐ１３に連続させてなるスリット状の破れ抑制用の逃げ部Ｐ６が設けられているため、切起片Ｐ５の基端Ｐ５２が破断することを好適に抑制することができる。
【０１３９】
なお、本発明は以上に述べた実施形態に限られない。
【０１４０】
＜綴じ機の変形例＞
綴じ機は、複数の切込刃を備えたものや、複数の抜き刃を備えたものであってもよい。例えば、複数の切起片を形成するための単一の抜き刃と、前記複数の切起片に対応した数の切込刃を備えたものや、複数の切起片を形成するための複数の抜き刃と、前記複数の切起片を係止可能なカット孔を形成するための単一の切込刃を備えたものや、複数の切起片を形成するための複数の抜き刃と、前記前記複数の切起片に対応した数の切込刃を備えたものであってもよい。
【０１４１】
また、これら切込刃及び抜き刃の突没方向は、第１実施形態に示すように、切込刃及び抜き刃の突出側を上方とし没入側を下方とするものに限られず、例えば、上下を逆向きにして、切込刃及び抜き刃の突出側を下方とし、没入側を上方として使用することも可能である。さらに、抜き刃及び切込刃の移動方向は、一時的に下方に移動することによって打ち抜き孔及びカット孔を形成するものや、左右方向、または斜め方向に移動することによって打ち抜き孔及びカット孔を形成するものであってもよい。例えば、前記第１実施形態のものと上下を逆にした仕様のものも考えられる。この仕様の綴じ機は、前述した実施形態における「上方」、「下方」、「上昇」、「降下」、「上面」、「下面」、「上側」、「下側」、「上ブレード部」、「下ブレード部」をそれぞれ「下方」、「上方」、「降下」、「上昇」、「下面」、「上面」、「下側」、「上側」、「下ブレード部」、「上ブレード部」と読み替えた構造をなしている。
【０１４２】
＜第２実施形態（図２４、図２５）＞
この実施形態は、複数の切込刃及び複数の抜き刃を備えたものであり、前記第１実施形態とは上下逆の仕様をなしている。
【０１４３】
図２４、図２５に示すものは、第２実施形態である綴じ機を示したものである。なお、第２実施形態において上記第１実施形態に対応する構成要素には、頭に「Ａ」をつけた上で第１実施形態で使用した符号と同様の符号を付して示すものとし、具体的な説明を省略する。
【０１４４】
この綴じ機Ａ１は、複数枚の用紙Ｐを接合して前記冊子Ｂを作るためのもので、図２４及び図２５に示すように、卓上に載置されるパンチ台Ａ４と、このパンチ台Ａ４上に固設された本体Ａ２と、この本体Ａ２内に昇降可能に収容され抜き刃Ａ３２及び切込刃Ａ３３を備えた左右対をなす刃ユニットＡ３と、この刃ユニットＡ３が穿孔動作を終えて上昇した際に前記綴じられた用紙Ｐを持ち上げるためのペーパーベースＡ１０と、このペーパーベースＡ１０及び刃ユニットＡ３を作動させるために前記本体Ａ２に上下方向に回動可能に取り付けた操作レバーＡ５とを備えている。本実施形態における綴じ機Ａ１は、第１実施形態に示すような用紙Ｐを綴じるための１組の切込刃３３及び抜き刃３２を備えているものとは異なり、用紙Ｐを綴じるための２組の切込刃Ａ３３及び抜き刃Ａ３２を備えている。この第２実施形態においては、対をなす刃ユニットＡ３は、前記各切込刃Ａ３３のメインブレードＡＤ１１同士が平行になるように配置されている。そして、インナーカムＡ３４のアームＡ３４４の先端同士が対面するように配置されている。なお、本発明は、３組以上の切込刃及び抜き刃を備えたものであってもよい。また、ペーパーベースＡ１０は、綴じ機Ａ１の必須の構成要素ではない。
【０１４５】
このような綴じ機Ａ１により作られた冊子Ｂは、図２４に示すように、複数枚の用紙Ｐを束ねてなるもので、それらの用紙Ｐは綴じ元側に設定した２箇所の接合部分Ｐ３において相互に接合されている。各接合部分Ｐ３は、用紙Ｐの一面Ｐａ側から貫入させた抜き刃９２により各用紙Ｐに形成された打ち抜き孔Ｐ１と、前記打ち抜き孔Ｐ１に隣接させて前記各用紙Ｐに形成されたカット孔Ｐ２と、前記打ち抜き孔Ｐ１から用紙Ｐの他面Ｐｂ側に切り起こされた切起片Ｐ５とから構成されている。そして、前記切起片Ｐ５の先端Ｐ５１側を、前記カット孔Ｐ２を貫通させて前記用紙Ｐの一面Ｐａ側に導出させることによって、前記複数枚の用紙Ｐの綴じ元側が相互に接合されている。対をなす打ち抜き孔Ｐ１は、基端Ｐ１３同士を対向させて配されており、最も離間する先端同士の距離を図示しないファイルの綴じ桿ピッチに対応させてある。
【０１４６】
このようなものであれば、１回の穿孔動作によって、複数の切込刃Ａ３３及び抜き刃Ａ３２、すなわち２組の切込刃Ａ３３及び抜き刃Ａ３２を進退動作させることができる。また、１箇所のみで綴じる場合よりも好適な綴じ状態を維持することができる。
【０１４７】
また、第２実施形態の据え置きタイプの綴じ機は、第１実施形態で説明したいわゆるハンディタイプのものに比べて、本体Ａ２を卓上に配置されたパンチ台Ａ４に固定しているので、綴じ機Ａ１全体の剛性を高めることができ、安定した操作が可能になる。
【０１４８】
なお、綴じ機はここで説明するものに限定されないのはもちろんのことである。
【０１４９】
なお、用紙に打ち抜き孔及びカット孔を設ける位置は、角部に限られず、第２実施形態のように、用紙Ｐの辺に沿った位置であってもよい。さらに、打ち抜き孔及びカット孔は、冊子に対して１つに限られず、複数の打ち抜き孔及びカット孔を有するものであってもよい。第２実施形態に示すものは、用紙Ｐに２箇所の接合部分Ｐ３を形成するようにしているので、切起片Ｐ５とカット孔Ｐ２との接合状態が外れて切起片Ｐ５がカット孔Ｐ２から抜け出てしまうという不具合や、切起片Ｐ５の横ずれが発生しやすいという不具合を好適に抑制することができる。打ち抜き孔Ｐ１及びカット孔Ｐ２を複数にする場合に、第２実施形態に示すように、２つの打ち抜き孔Ｐ１をファイル等の綴じ具の綴じ桿のピッチに対応させて形成すれば、前記打ち抜き孔Ｐ１を２つの綴じ桿を有したファイルに冊子Ｂを綴じるための綴じ孔として利用することができる。また、打ち抜き孔及びカット孔の大きさ及び形状も種々変更可能である。
【０１５０】
＜抜き刃、打ち抜き孔、切起片の変形例＞
抜き刃の形状、この抜き刃によって形成される打ち抜き孔の形状、及び切起片の形状も、上述した実施形態のものに限られない。すなわち、図２６に模式的に示すような第１実施形態の打ち抜き孔Ｐ１及び逃げ部Ｐ６の態様以外にも種々のものが考えられる。他の実施形態としては、例えば、図２７ないし図３２に示すものが考えられる。
【０１５１】
ここで、図２６ないし図３２は、打ち抜き孔の形状を実線で示している。一方で、抜き刃については図示していないが、図示されている打ち抜き孔の形状に対応する形状の刃本体及び補助刃部を有している。しかして、以下の他の実施形態において第１実施形態に対応する構成要素には、頭に「Ｂ」、「Ｃ」、「Ｄ」、「Ｅ」、「Ｆ」または「Ｇ」をつけた上で、第１実施形態で使用した符号と同様の符号を付して示すものとし、具体的な説明を省略する。
【０１５２】
なお、抜き刃、打ち抜き孔、切起片はここで説明するものに限定されないのはもちろんのことである。
【０１５３】
＜第３実施形態（図２７）＞
用紙ＢＰに図示しない抜き刃を貫通させることにより形成される打ち抜き孔ＢＰ１は、上述した第１実施形態の打ち抜き孔Ｐ１とは異なり、先端側を半円形状にした略Ｕ字状のものである。すなわち、この実施形態では、打ち抜き孔ＢＰ１により形成される切起片ＢＰ５は舌片状のものである。詳述すれば、この打ち抜き孔ＢＰ１は、切起片ＢＰ５の形状に対応するスリット、具体的にはＵ字スリットＢＰ１１’を備えている。そして、このＵ字スリットＢＰ１１’の２か所の基端ＢＰ１３からそれぞれ外側方に延びる態様で用紙ＢＰにスリット状の逃げ部ＢＰ６が設けられている。なお、この実施形態においては、逃げ部ＢＰ６のスリットと前記打ち抜き孔ＢＰ１のスリットとが交差する角度αが略９０度となっている。ここで、角度αは、９０度以上に設定しても良いし９０度以下に設定しても良い。言い換えれば、逃げ部ＢＰ６のスリットと打ち抜き孔ＢＰ１のスリットとが交差する角度は鋭角なものであっても良いし、鈍角なものであってもよい。また、打ち抜き孔ＢＰ１における基端ＢＰ１３の近傍のスリットは、打ち抜き孔ＢＰ１の２か所の基端ＢＰ１３同士を結んだ仮想線に対して直角であるか否かを問わない。すなわち、鋭角であってもよいし、鈍角であってもよい。例えば、打ち抜き孔ＢＰ１における基端ＢＰ１３の近傍のスリットが、打ち抜き孔ＢＰ１の２か所の基端ＢＰ１３同士を結んだ仮想線に対して鋭角であるものとしては、当該打ち抜き孔ＢＰ１により形成される切起片ＢＰ５の形状が山形状になっているものを挙げることができる。
【０１５４】
切起片ＢＰ５は、その先端部分を図示しないカット孔（図における下側に位置する）と係り合わせる際には、打ち抜き孔ＢＰ１の２か所の基端ＢＰ１３同士を結んだ仮想線と略一致する箇所、又は打ち抜き孔ＢＰ１の２か所の基端ＢＰ１３同士を結んだ仮想直線よりも切起片ＢＰ５の先端に変移した箇所、すなわち切起片ＢＰ５の基端ＢＰ５２において屈曲するようになっている。
【０１５５】
＜第４実施形態（図２８）＞
用紙ＣＰに図示しない抜き刃を貫通させることにより形成される打ち抜き孔ＣＰ１は、矢尻状のもので、詳述すれば、この打ち抜き孔ＣＰ１は、前記切起片ＣＰ５の先端領域に対応する先端領域スリットＣＰ１１と、この先端領域スリットＣＰ１１に連続して形成され切起片ＣＰ５の基端領域に対応する基端領域スリットＣＰ１２とを備えている。対をなす基端領域スリットＣＰ１２は、カット孔方向に向かって離間距離を漸次大きくしている。換言すれば、この打ち抜き孔ＣＰ１により形成される切起片ＣＰ５の基端領域ＣＰ５４は、先端側の幅寸法よりも基端側の幅寸法を大きくした台形状をなしている。しかして、この実施形態では、打ち抜き孔ＣＰ１の基端ＣＰ１３から延びてなるスリット状の逃げ部ＣＰ６が用紙ＣＰに形成されている。この逃げ部ＣＰ６は、前記打ち抜き孔ＣＰ１の基端ＣＰ１３から左右両側の外側方に伸びるスリット状のものである。換言すれば、逃げ部ＣＰ６は、打ち抜き孔ＣＰ１の基端領域スリットＣＰ１２に連続して形成され、切起片ＣＰ５の長手方向に伸びる仮想中心線に対して直交する方向に直線状に延びるものである。この実施形態においては、逃げ部ＣＰ６のスリットと打ち抜き孔ＣＰ１の基端領域スリットＣＰ１２とが交差する角度αが略９０度よりも大きくなっている。
【０１５６】
切起片ＣＰ５は、その先端部分を図示しないカット孔（図における下側に位置する）と係り合わせる際には、打ち抜き孔ＣＰ１の２か所の基端ＣＰ１３同士を結んだ仮想線と略一致する箇所、又は打ち抜き孔ＣＰ１の２か所の基端ＣＰ１３同士を結んだ仮想直線よりも切起片ＣＰ５の先端に変移した箇所、すなわち切起片ＣＰ５の基端ＣＰ５２において屈曲するようになっている。
【０１５７】
＜第５実施形態（図２９）＞
用紙ＤＰに図示しない抜き刃を貫通させることにより形成される打ち抜き孔ＤＰ１は、前述した第１実施形態のものと同様であるが、この実施形態においては、スリット状の逃げ部ＤＰ６の形状が異なっている。
【０１５８】
すなわち、この逃げ部ＤＰ６は、打ち抜き孔ＤＰ１の基端ＤＰ１３から左右両側の外側方に伸びるスリット状のものであり、打ち抜き孔ＤＰ１の基端領域スリットＤＰ１２に連続して形成されているものであるが、スリットが直線状ではなく曲線状をなしている。詳述すれば、曲線状のスリットからなる左右の逃げ部ＤＰ６は、図示しないカット孔側（図における下側）に凸となるように湾曲してなる。換言すれば、左右の逃げ部ＤＰ６のスリットは、打ち抜き孔ＤＰ１の基端ＤＰ１３からまず図示しないカット孔側の斜め外側方に延び、その後、略中間部分からカット孔と相反する側に向かって曲がっているものである。この実施形態で示すような、曲線スリット状の逃げ部ＤＰ６であっても所期の目的を十分に達成することができる。
【０１５９】
切起片ＤＰ５は、その先端部分を図示しないカット孔（図における下側に位置する）と係り合わせる際には、打ち抜き孔ＤＰ１の２か所の基端ＤＰ１３同士を結んだ仮想線と略一致する箇所、又は打ち抜き孔ＤＰ１の２か所の基端ＤＰ１３同士を結んだ仮想直線よりも切起片ＤＰ５の先端側に変移した箇所、すなわち切起片ＤＰ５の基端ＤＰ５２において屈曲するようになっている。
【０１６０】
＜第６実施形態（図３０）＞
用紙ＥＰに図示しない抜き刃を貫通させることにより形成される打ち抜き孔ＥＰ１は、前述した第１実施形態のものと同様であるが、この実施形態においては、スリット状の逃げ部ＥＰ６の形状が異なっている。
【０１６１】
すなわち、この逃げ部ＥＰ６は、打ち抜き孔ＥＰ１の基端ＥＰ１３から連続して伸びるスリット状のもの、より具体的には、打ち抜き孔ＥＰ１の基端領域スリットＥＰ１２に連続して形成されているものであるが、スリット状の逃げ部ＥＰ６が直線状の部分と曲線状の部分とをそれぞれ有している。詳述すれば、スリット状の逃げ部ＥＰ６における直線状の部分は、打ち抜き孔ＥＰ１の２か所の基端ＥＰ１３から基端領域スリットＥＰ１２の延伸方向と同一方向に延びているスリットである。逃げ部ＥＰ６における曲線状の部分は、前記直線状の部分と連続するスリットであり、図示しないカット孔側（図における下側）に凸となるように湾曲してなるスリットである。この実施形態で示すような、直線スリットと曲線スリットとにより形成された逃げ部ＥＰ６であっても所期の目的を十分に達成することができる。
【０１６２】
切起片ＥＰ５は、その先端部分を図示しないカット孔（図における下側に位置する）と係り合わせる際には、切起片ＥＰ５の基端ＥＰ５２において屈曲するようになっている。より具体的には、この実施形態では、切起片ＥＰ５は、打ち抜き孔ＥＰ１の２か所の基端ＥＰ１３同士を結んだ仮想線と略一致する箇所、又は打ち抜き孔ＥＰ１の２か所の基端ＥＰ１３同士を結んだ仮想直線よりも切起片ＥＰ５の先端側に変移した箇所、又は打ち抜き孔ＥＰ１の２か所の基端ＥＰ１３同士を結んだ仮想直線よりも図示しないカット孔側に変移した箇所のいずれかの箇所において屈曲するようになっている。
【０１６３】
＜第７実施形態（図３１）＞
用紙ＦＰに図示しない抜き刃を貫通させることにより形成される打ち抜き孔ＦＰ１は、前述した第１実施形態のものと同様であるが、この実施形態においては、スリット状の逃げ部Ｐ６の形状が異なっている。
【０１６４】
すなわち、この逃げ部ＦＰ６は、打ち抜き孔ＦＰ１の基端ＦＰ１３から左右両側の外側方に伸びるスリット状のものであり、打ち抜き孔ＦＰ１の基端領域スリットＦＰ１２に連続して形成されるものであるが、スリットの形状が直線状ではなく曲線状をなしている。詳述すれば、曲線状のスリットからなる左右の逃げ部ＦＰ６は、図示しないカット孔側（図における下側）に凹となるように湾曲されている。換言すれば、左右の逃げ部ＦＰ６のスリットは、打ち抜き孔ＦＰ１３からまず基端領域スリットＦＰ１２に対して略直交する方向に外側に延び、その後、漸次カット孔側に向かって曲がっているものである。この実施形態で示すような、曲線スリットにより形成された逃げ部ＦＰ６であっても所期の目的を十分に達成することができる。
【０１６５】
切起片ＦＰ５は、その先端部分を図示しないカット孔（図における下側に位置する）と係り合わせる際には、打ち抜き孔ＦＰ１の２か所の基端同士を結んだ仮想線と略一致する箇所、又は打ち抜き孔ＦＰ１の２か所の基端ＦＰ１３同士を結んだ仮想直線よりも切起片ＦＰ５の先端部分に若干変移した箇所、すなわち切起片ＦＰ５の基端ＦＰ５２において屈曲するようになっている。
【０１６６】
＜第８実施形態（図３２）＞
用紙ＧＰに図示しない抜き刃を貫通させることにより形成される打ち抜き孔ＧＰ１は、前述した第１実施形態のものと同様であるが、この実施形態においては、スリット状の逃げ部ＧＰ６の延出方向、換言すれば、用紙ＧＰにおけるスリット状の逃げ部ＧＰ６の形成箇所が異なっている。
【０１６７】
すなわち、この実施形態における逃げ部ＧＰは、打ち抜き孔ＧＰ１の基端から内側方に延びるものである。なお、図示例では、左右の逃げ部ＧＰ６のスリットは互いに相寄る方向に直線状に延びているが、曲線状のものとしてもよいのはもちろんのことである。この実施形態で示すような、対をなすスリット状の逃げ部ＧＰ６が相寄る方向に向かって延びる態様であっても所期の目的を十分に達成することができる。
【０１６８】
切起片ＧＰ５は、その先端部分を図示しないカット孔（図における下側に位置する）と係り合わせる際には、打ち抜き孔ＧＰ１の２か所の基端ＧＰ１３同士、又は対をなすスリット状の逃げ部ＧＰ６の先端同士を結んだ仮想直線と略一致する箇所、すなわち切起片ＧＰ５の基端ＧＰ５２において屈曲するようになっている。
＜その他＞
刃である抜き刃は、本実施形態に示される綴じ機以外にも種々のものに適用することができる。すなわち、刃は、用紙に打ち抜き孔を形成するための刃本体と、用紙に逃げ部を形成するための補助刃部とを備えたものであればよい。つまり、刃は、用紙に形成された切起片が何らかの外力を受けて付勢されたり、引っ張られたりした際に、切起片の基端への応力集中を抑制し得る逃げ部を形成できるものであればよく、用紙を綴じるという目的に相応する種々のものに適用することができる。
【０１６９】
用紙は、シート状であれば、紙製またはプラスチック製等種々変更可能である。また、同質の材料により作られた複数枚のシート体を綴じるようにすれば、分別廃棄の際の手間をより少なくすることができる。なお、前述した各実施形態では、主として、オフィス等で好適に用いられる用紙である紙製用紙を前提に説明をしているが、かかる紙製の用紙においても破断を好適に抑制するものとなり、所期の目的を達成することができる。
【０１７０】
また、本実施形態では、前記幅広部の幅寸法が、前記拡幅部の幅寸法よりも小さくなるように、前記抜き刃の形状及び寸法、前記切込刃の形状及び寸法、並びに前記抜き刃と切込刃の相対位置を設定していたが、刃駆動機構の動作スピードを遅くしたり、綴じる用紙の枚数を少なくしたりすれば、このような設定に限られずに実施することができる。
【０１７１】
上述した実施形態においては、切起片の幅広部から基端に至る縁のうち、幅広部から境界部に至る縁において切起片を第二のスリットに係わり合わせるようにしていたが、これに限られず、境界部から基端に至る縁において切起片を第二のスリットに係わり合わせるようにしてもよい。また、係わり合わせる箇所は、一箇所であっても複数箇所であっても構わない。
【０１７２】
刃ユニットは、切込刃、抜き刃、及びインナーカムの３ピース構造のみならず、切込刃及び抜き刃の２ピース構造であってもよい。この際、抜き刃は、穿孔姿勢から回動姿勢までの間で回動可能に設けられ穿孔姿勢において打ち抜き孔を形成し得るものとするのが好ましい。すなわち、抜き刃が、パンチ台の下面側に配された用紙に一面側から該抜き刃を貫入させる穿孔機構と、用紙を貫通した抜き刃を回動姿勢まで回動させて打ち抜き孔から他面側へ切り起こされた切起片を保持した切込刃を切起片とともに用紙の一面側に抜き出させる刃抜き取り機構とを備えたものにすればよい。なお、３ピース構造にすれば、２ピース構造のものと比べて、切起片を押し入れる用途としてのインナーカムを用いるので、抜き刃の設計の自由度を高めることができる。
【０１７３】
切込刃の形状、及びこの切込刃によって形成されるカット孔の形状は、上述した実施形態のものに限られない。また、切込刃の刃本体、すなわち、第一のブレード及び第二のブレードに形成された刃はそれぞれ、本実施形態で示したようないわゆる片刃構造であってもよいが、素材の厚み方向中央に刃先を有した両刃構造であってもよい。また、片刃構造であっても、切込刃の刃本体、すなわち第一のブレード及び第二のブレードに形成された刃をそれぞれ、素材の厚み方向外側にのみ刃先を有した外刃構造としたり、素材の厚み方向内側にのみ刃先を有した内刃構造としたりしてもよい。前記外刃構造であれば、コ字形またはＨ字形に折曲げ加工した場合であっても、カット孔の切り口を途切れのない連続したものにすることができるので、切り口の見栄えをよくすることができる。しかしながら、外刃構造であると刃先の全長距離が長くなるため、前記切込刃を用紙に貫入する際に抵抗が大きくなるという問題がある。一方、切込刃を内刃構造とすれば、前記切込刃を用紙に貫入する際に抵抗が大きくなるという問題を解消することができる。しかしながら、内刃構造であるとカット孔に途切れが生じるためカット孔の切り口の見栄えが悪くなってしまうだけでなく、第一のブレードのメインブレードと第二のブレードとの間の前後離間距離に対してカット孔のメインスリットと第二のスリットとの距離が切込刃の厚み分だけ小さくなってしまうという問題も生じる。そのため、素材の厚み方向中央に刃先を有した両刃構造を採用すれば、上述したような問題を一気に解消することができるとともに、外刃構造や内刃構造のように片側のみに刃先を有するもので生じやすい刃の反りの問題を抑制することもできる。
【０１７４】
第二のブレードは、上記実施形態で説明したように窓から一体に切り起こしたものに限られず、別体を取り付けたものであってもよい。また、第二のブレードは、窓の両側に配されるものに限られず、窓の片側のみに備えるものであってもよい。
【０１７５】
インナーカムは、アームが直接係止壁に当接するものに限られず、アームの先端に設けられた軸状の突起を有するものであってもよい。この場合、前記軸状の突起が前記係止壁の下面に該インナーカムが初期姿勢から回動姿勢まで回動するようにすればよい。
【０１７６】
また、パンチ台のアンビルは、本実施形態に示すようなベース部に取り付けられるいわゆる固定式のものに限られず可動式のものであってもよい。このようなものとしては、例えば、アンビルが、一定位置に保持される静止アンビル部と、この静止アンビル部と協働して用紙を裏当て支持可能な穿孔位置から前記静止アンビル部から離間し前記切起片を前記カット孔に挿通させるのを阻害しない離間位置まで移動可能な可動アンビル部とを備えたもの等が考えられる。
【０１７７】
窓カバーは、本実施形態においては、切込刃の上方が開放されるように設定していたが、土手状の壁が比較的低い場合には、使用者の安全確保のため、切込刃の上方も覆う位置までしか開かないように設定するのがよい。
【０１７８】
第２のリンクメンバとレバープレートは、それぞれ別体として設けられるものであってもよく、さらに、第２のリンクメンバの下側の支軸とレバープレートの支軸とは、それぞれベース部に回転可能に軸支されるものであれば、それらの支軸を共通とするものには限られない。
【０１７９】
位置決め部は、ベースフレーム及びその係止壁に設けられているものに限られず、その形状も種々変更可能である。例えば、位置決め部は、ベース部のベースカバー、アンビル、トップケース等に設けられるものであってもよい。また、係止壁を有さずに用紙の角部を合わせる得る窪み等を設けるものであってもよい。
【０１８０】
上述した実施形態においては、前記ベースフレームの隆起部と、前記アンビルの隆起部とを主体に圧縮機構を構成したものであるが、綴じるべき用紙の枚数が比較的少ない場合には、このような圧縮機構を有しないものであってもよい。すなわち、本発明は、切起片が引き上げ用カット孔を貫通してなる接合部分を厚み方向に圧縮変形させる圧縮機構を有しないものであっても、その効果を奏し得るものであるが、さらに前記圧縮機構を有していれば、冊子の接合部分がかさばるのを抑制することができる。
【０１８１】
刃打ち込み機構は、リンク機構を利用しないものであっても、前記ベース部に操作レバーに加えられる操作力を利用して前記抜き刃及び切込刃を上下方向に動作させるものであればどのようなものであってもよい。
【０１８２】
また、刃抜き取り機構は、コイルスプリングＳ３のみを主体に構成されるものであってもよい。すなわち、前記コイルスプリングＳ１を配さない場合であっても、コイルスプリングＳ３の下方への付勢力によって第１のリンクメンバ６１が下方に回動し、この回動動作によってドライブシャフト３６が下方に押し下げられ、その結果として刃ユニット３が待機位置まで退避するようにすればよい。
【０１８３】
その他、本発明の趣旨を損ねない範囲で種々に変更してよい。
【符号の説明】
【０１８４】
１…綴じ機
３２…抜き刃（刃）
３３…切込刃
３７…刃本体
３８…補助刃部
３７１…先端領域形成部
３７４…基端領域形成部
Ｄ３…窓
Ｐ…用紙
Ｐ１…打ち抜き孔
Ｐ２…カット孔
Ｐ５…切起片
Ｐ５５…先端領域
Ｐ５４…基端領域
Ｐ５６…幅広部
【図１】
0005807151.tif 000002
【図２】
0005807151.tif 000003
【図３】
0005807151.tif 000004
【図４】
0005807151.tif 000005
【図５】
0005807151.tif 000006
【図６】
0005807151.tif 000007
【図７】
0005807151.tif 000008
【図８】
0005807151.tif 000009
【図９】
0005807151.tif 000010
【図１０】
0005807151.tif 000011
【図１１】
0005807151.tif 000012
【図１２】
0005807151.tif 000013
【図１３】
0005807151.tif 000014
【図１４】
0005807151.tif 000015
【図１５】
0005807151.tif 000016
【図１６】
0005807151.tif 000017
【図１７】
0005807151.tif 000018
【図１８】
0005807151.tif 000019
【図１９】
0005807151.tif 000020
【図２０】
0005807151.tif 000021
【図２１】
0005807151.tif 000022
【図２２】
0005807151.tif 000023
【図２３】
0005807151.tif 000024
【図２４】
0005807151.tif 000025
【図２５】
0005807151.tif 000026
【図２６】
0005807151.tif 000027
【図２７】
0005807151.tif 000028
【図２８】
0005807151.tif 000029
【図２９】
0005807151.tif 000030
【図３０】
0005807151.tif 000031
【図３１】
0005807151.tif 000032
【図３２】
0005807151.tif 000033